(57)【要約】【課題】  皿ユニットの内部空間を最大限に利用することにより効果的な低音域の音声を発生することができるパチンコ遊技機を提供する。【解決手段】  皿ユニット３００の外殻を構成するユニット枠３０１の内部空間に、左右一対のスピーカを別々に内蔵する左右のエンクロージャ空間が形成されたスピーカユニット３３０が内蔵され、しかもそのエンクロージャ空間を形成する際に、皿ユニット３００の内部空間において干渉し得る球通路部分を避けるように逃げ凹部３４５を形成したので、エンクロージャ空間が皿ユニット３００の内部空間で最大となるようにスピーカユニット３３０を構成することができる。そして、スピーカが収納固定され且つ内部にスピーカダクトが形成されるエンクロージャ空間の容積を大きく形成することができるため、低音域の音声を効果的に発生することができる。【選択図】        図３８
2008110170.tif 000002
【特許請求の範囲】
【請求項１】
球が打ち込まれる遊技領域を形成した遊技盤と、合成樹脂によって成形され且つ前記遊技盤をその前面側に着脱自在に取り付ける本体枠と、合成樹脂によって成形され且つ前記本体枠の一側に開閉自在に軸支されて前記遊技盤の遊技領域を視認可能な遊技窓を透明板で被覆すると共に前記遊技窓の下方前面に遊技の結果発生した賞球を受け入れて発射レールの発射位置に供給する皿ユニットが取り付けられる扉枠と、を備えたパチンコ遊技機において、
前記皿ユニットは、外殻を構成するユニット枠と、該ユニット枠の内部空間に取り付けられるスピーカユニットと、該スピーカユニットの上部に配置され且つ前記ユニット枠の上面に臨むように設けられる皿体と、を備え、
前記スピーカユニットは、左右一対のスピーカと、該左右一対のスピーカの振動板が臨むスピーカ開口が左右離れた前面に形成され且つ当該左右一対のスピーカをそれぞれ収納固定するために左右別々のエンクロージャ空間が区画形成されるスピーカボックス本体と、該スピーカボックス本体のエンクロージャ空間内に形成されて低音域の音を外部に向けて発生するためのスピーカダクトと、前記スピーカボックス本体のエンクロージャ空間を閉塞するためのスピーカ蓋板と、からなり、
前記左右のエンクロージャ空間のうち、前記皿ユニットに形成される球通路の下部に位置する一方のエンクロージャ空間を構成する前記スピーカボックス本体又はスピーカ蓋板に前記球通路を受け入れるための逃げ凹部を形成すると共に、他方のエンクロージャ空間を構成する前記スピーカボックス本体又はスピーカ蓋板に調整凹部を形成することにより、一方のエンクロージャ空間の容積と他方のエンクロージャ空間の容積とを一致させたことを特徴とするパチンコ遊技機。
【請求項２】
前記一方のエンクロージャ空間を構成する前記スピーカボックス本体又はスピーカ蓋板に形成される前記逃げ凹部は、前記皿ユニットの前記球通路の底面と接触しないように形成されていることを特徴とする請求項１記載のパチンコ遊技機。
【請求項３】
前記左右のエンクロージャ空間を構成する後壁を当該パチンコ遊技機の正面に向けて形成すると共に、前記左右のエンクロージャ空間内に収納固定されるスピーカが当該パチンコ遊技機の斜め外側を向くように配置されていることを特徴とする請求項１又は請求項２記載のパチンコ遊技機。
【請求項４】
前記スピーカボックス本体には、前記左右のエンクロージャ空間の間に前記皿ユニットに貯留された球を球抜きするための球抜通路が形成されていることを特徴とする請求項１乃至請求項３のいずれかに記載のパチンコ遊技機。
【発明の詳細な説明】
【技術分野】
【０００１】
本発明は、球が打ち込まれる遊技領域を形成した遊技盤と、合成樹脂によって成形され且つ前記遊技盤をその前面側に着脱自在に取り付ける本体枠と、合成樹脂によって成形され且つ前記本体枠の一側に開閉自在に軸支されて前記遊技盤の遊技領域を視認可能な遊技窓を透明板で被覆すると共に前記遊技窓の下方前面に遊技の結果発生した賞球を受け入れて発射レールの発射位置に供給する皿ユニットが取り付けられる扉枠と、を備えたパチンコ遊技機に関するものである。
【背景技術】
【０００２】
近年、球を弾発して遊技を行うパチンコ遊技機等では、遊技盤をその前面側に着脱自在に取り付ける本体枠を合成樹脂で成形し、また、その本体枠の前面側に一側を軸支して開閉自在に設けられる扉枠も合成樹脂で成形したものが主流となっている。そして、扉枠に形成される遊技窓をガラス板によって覆うと共に、遊技窓の下方前面に打球を貯留すると共に発射位置に供給する皿ユニットが取り付けられている。ところで、上記したパチンコ遊技機においては、例えば、特開２００５−６５９９４号公報（以下、「特許文献１」という。）に示されるように、低音域の音声を効果的に発生させるために外枠の最下部前面に左右のスピーカを内蔵する左右一対のスピーカボックスからなる下部音声出力部を設けたものが提案されている。この特許文献１に記載される下部音声出力部は、本体枠を閉じた状態で当該本体枠を支持するために従来一般的に設けられる下部支持板の裏面を利用する構造であるため、上下方向寸法が小さく、また、当該下部支持板の裏面には、パチンコ遊技機を島台に設置したときに島台に固定されるアウト球等をうけるアウト球箱の一部が入り込むため、奥行き幅寸法も小さいため、スピーカボックスの容積を大きくすることができず、折角、低音域の音声を発生させる構造を採用しても、その機能が充分発揮されるというものではなかった。そこで、例えば、特開２００３−７９８３０号公報（以下、「特許文献２」という。）に示されるように、球を貯留する上球皿の内部空間に左右一対のスピーカを設けることも考えられる。
【特許文献１】特開２００５−６５９９４号公報（段落〔００２０〕〜段落〔００２４〕、図１、図７）
【特許文献２】特開２００３−７９８３０号公報（図３）
【発明の開示】
【発明が解決しようとする課題】
【０００３】
しかし、上記特許文献２に記載される発明の構成は、図３及び図５の記載から明らかなように、上球皿の内部空間のごく一部を利用してスピーカを内蔵するエンクロージャ構造の箱体が設けられているに過ぎず、依然として、スピーカボックスの容積が小さなものしか取り付けることができない構造となっている。
【０００４】
本発明は、上記した事情に鑑みなされたものであり、その目的とするところは、皿ユニットの内部空間を最大限に利用することにより効果的な低音域の音声を発生することができるパチンコ遊技機を提供することにある。
【課題を解決するための手段】
【０００５】
上記目的を達成するために、請求項１が採用した手段は、球が打ち込まれる遊技領域を形成した遊技盤と、合成樹脂によって成形され且つ前記遊技盤をその前面側に着脱自在に取り付ける本体枠と、合成樹脂によって成形され且つ前記本体枠の一側に開閉自在に軸支されて前記遊技盤の遊技領域を視認可能な遊技窓を透明板で被覆すると共に前記遊技窓の下方前面に遊技の結果発生した賞球を受け入れて発射レールの発射位置に供給する皿ユニットが取り付けられる扉枠と、を備えたパチンコ遊技機において、前記皿ユニットは、外殻を構成するユニット枠と、該ユニット枠の内部空間に取り付けられるスピーカユニットと、該スピーカユニットの上部に配置され且つ前記ユニット枠の上面に臨むように設けられる皿体と、を備え、前記スピーカユニットは、左右一対のスピーカと、該左右一対のスピーカの振動板が臨むスピーカ開口が左右離れた前面に形成され且つ当該左右一対のスピーカをそれぞれ収納固定するために左右別々のエンクロージャ空間が区画形成されるスピーカボックス本体と、該スピーカボックス本体のエンクロージャ空間内に形成されて低音域の音を外部に向けて発生するためのスピーカダクトと、前記スピーカボックス本体のエンクロージャ空間を閉塞するためのスピーカ蓋板と、からなり、前記左右のエンクロージャ空間のうち、前記皿ユニットに形成される球通路の下部に位置する一方のエンクロージャ空間を構成する前記スピーカボックス本体又はスピーカ蓋板に前記球通路を受け入れるための逃げ凹部を形成すると共に、他方のエンクロージャ空間を構成する前記スピーカボックス本体又はスピーカ蓋板に調整凹部を形成することにより、一方のエンクロージャ空間の容積と他方のエンクロージャ空間の容積とを一致させたことを特徴とする。
【０００６】
また、請求項２が採用した手段は、請求項１記載のパチンコ遊技機において、前記一方のエンクロージャ空間を構成する前記スピーカボックス本体又はスピーカ蓋板に形成される前記逃げ凹部は、前記皿ユニットの前記球通路の底面と接触しないように形成されていることを特徴とする。
【０００７】
また、請求項３が採用した手段は、請求項１又は請求項２記載のパチンコ遊技機において、前記左右のエンクロージャ空間を構成する後壁を当該パチンコ遊技機の正面に向けて形成すると共に、前記左右のエンクロージャ空間内に収納固定されるスピーカが当該パチンコ遊技機の斜め外側を向くように配置されていることを特徴とする。
【０００８】
また、請求項４が採用した手段は、請求項１乃至請求項３のいずれかに記載のパチンコ遊技機において、前記スピーカボックス本体には、前記左右のエンクロージャ空間の間に前記皿ユニットに貯留された球を球抜きするための球抜通路が形成されていることを特徴とする。
【発明の効果】
【０００９】
請求項１に係る発明においては、皿ユニットの外殻を構成するユニット枠の内部空間に、左右一対のスピーカを別々に内蔵する左右のエンクロージャ空間が形成されたスピーカユニットが内蔵され、しかもそのエンクロージャ空間を形成する際に、皿ユニットの内部空間において干渉し得る球通路部分を避けるように逃げ凹部を形成したので、エンクロージャ空間が皿ユニットの内部空間で最大となるようにスピーカユニットを構成することができる。そして、スピーカが収納固定され且つ内部にスピーカダクトが形成されるエンクロージャ空間の容積を大きく形成することができるため、低音域の音声を効果的に発生することができる。また、左右一対のエンクロージャ空間の容積が一致するように逃げ凹部に対応する調整凹部を形成したので、左右のスピーカからバランスのとれた同質の音を発生することができる。
【００１０】
また、請求項２に係る発明においては、一方のエンクロージャ空間を構成するスピーカボックス本体又はスピーカ蓋板に形成される逃げ凹部を、皿ユニットの球通路の底面と接触しないように形成されているので、球通路を転動する球によってスピーカから発生される音に対して悪影響を及ぼさないようにすることができる。
【００１１】
また、請求項３に係る発明においては、左右のエンクロージャ空間を構成する後壁を当該パチンコ遊技機の正面に向けて形成すると共に、左右のエンクロージャ空間内に収納固定されるスピーカが当該パチンコ遊技機の斜め外側を向くように配置することにより、スピーカの後方に発生する音波をエンクロージャ空間を構成する壁面で乱反射させ易くして、スピーカも正面に向けられ且つスピーカの振動板と後壁とが平行状に配置された場合に発生しやすい定在波の発生を抑制し、特定の周波数の音が強調されたり弱められたりしてしまうことを防止している。また、スピーカをエンクロージャ空間内に斜めに配置することにより、限られた皿ユニットのユニット枠の内部空間内に比較的寸法の大きなスピーカを配置することができる。
【００１２】
更に、請求項４に係る発明においては、皿ユニットの内部空間において干渉し得る球抜通路をスピーカボックス本体に形成したので、球抜通路とスピーカボックスとを別体に構成した場合に比較して、皿ユニットのユニット枠の内部空間に容積の大きなエンクロージャ空間を形成したスピーカユニットを内蔵することができる。
【発明を実施するための最良の形態】
【００１３】
〔パチンコ遊技機の全体構造〕
以下、図面を参照して本発明の好適な実施形態について、図面を参照して説明する。まず、図１乃至図５を参照して実施形態に係るパチンコ遊技機の全体について説明する。図１は、実施形態に係るパチンコ遊技機１の外枠２に対して本体枠３を閉塞し、本体枠３に対して扉枠５を開放した状態を示す斜視図であり、図２は、パチンコ遊技機１の正面から見た斜視図であり、図３は、パチンコ遊技機１の正面図であり、図４は、パチンコ遊技機１の背面図であり、図５は、パチンコ遊技機１の平面図である。
【００１４】
図１及び図２において、本実施形態に係るパチンコ遊技機１は、島（図示しない）に設置される外枠２と、該外枠２に開閉自在に軸支され且つ遊技盤４を装着し得る本体枠３と、該本体枠３に開閉自在に軸支され且つ前記遊技盤４に形成されて球が打ち込まれる遊技領域２０を遊技者が視認し得る透明板ユニットとしてのガラスユニット１９０と該ガラスユニット１９０の下方に配置され且つ遊技の結果発生した賞球を受け入れて発射レール３８の発射位置に供給する皿ユニット３００とを備えた扉枠５と、を備えて構成されている。
【００１５】
外枠２には、その下方前方に表面が装飾カバー板６ａによって被覆されている下部装飾板６が固着されており（図６３参照）、また、詳細に図示しないが、外枠２は、上下の木製の上枠板及び下枠板と左右の軽合金（アルミニュウム）製の側枠板とを、それぞれの端部を連結するための連結部材で連結することによって方形状に組み付けられるものである。なお、外枠２の上部に設けられる上支持金具７と下部装飾板６の一側上面に設けられる下支持金具８に、本体枠３の上下に固定される上軸支金具４７及び下軸支金具４８とを係合することにより、本体枠３が外枠２に対して開閉自在に軸支されている。
【００１６】
また、本体枠３には、上記したように遊技盤４が着脱自在に装着し得る他に、図４に示すように、その裏面に賞球を払い出すための賞球タンク５０、タンクレール部材５１、球通路ユニット５２、及び賞球ユニット５３が取り付けられ、その裏面下部に発射装置５７と、遊技盤４を除く扉枠５や本体枠３に設けられる電気的部品を制御するための各種の制御基板や電源基板等が一纏めに設けられている基板ユニット５４が取り付けられ、更に、本体枠３の後面開口を覆うカバー体５８が着脱自在に設けられている。なお、本体枠３は、その前面に開閉自在に設けられる扉枠５との間で、不正行為に対する防犯構造等が採用されているが、この点を含め本体枠３については、後に詳述する。
【００１７】
更に、扉枠５には、上記した皿ユニット３００に、ハンドルユニット３１８が設けられている。そして、本実施形態の特徴は、扉枠５に設けられる皿ユニット３００が１つであり、しかも、従来は本体枠３に設けられていたハンドルユニット３１８が扉枠５側である皿ユニット３００に設けられ、また、扉枠５と本体枠３とが正面から見てほぼ同じ方形の大きさであるため、正面から本体枠３が視認できなくした点である。以下、パチンコ遊技機１を構成する部材のうち、本体枠３と扉枠５について詳細に説明する。
【００１８】
〔本体枠〕
まず、遊技盤４が前面側から着脱自在に装着し得ると共に、発射装置５７と、賞球を払い出すための賞球タンク５０とタンクレール部材５１と球通路ユニット５２と賞球ユニット５３と、外枠２に対する本体枠３の施錠及び本体枠３に対する扉枠５の施錠を行う錠装置６０と、遊技盤４を除く扉枠５や本体枠３に設けられる電気的部品を制御するための各種の制御基板や電源基板等が一纏めに設けられている基板ユニット５４と、後面開口２２２を覆うカバー体５８等の各種の部品が装着される本体枠３について、主として図４乃至図６を参照して説明する。図４及び図５は、前述した通りであり、図６は、本体枠３の正面図である。
【００１９】
まず、本体枠３に着脱自在に装着される遊技盤４の構成について説明すると、遊技盤４は、ほぼ正方形状の遊技板１０と、該遊技板１０の前面に遊技領域２０を囲むように取り付けられる遊技板飾り枠１１と、から構成されている。遊技板１０の表面には、装飾セルともいわれる装飾板が貼付されると共に遊技領域２０に各種の遊技装置や多数の障害釘（いずれも図示省略）が植立されている。そして、それらの遊技装置や障害釘が設けられた後に遊技板飾り枠１１が遊技板１０の前面に取り付けられるが、その遊技板飾り枠１１は、遊技板１０の周囲を囲むように内部が円形の空洞状に形成され且つ外形が遊技板１０の外形に沿った形状に形成されており、その下辺中程から上辺の中心を過ぎた斜め上方までの円弧面が外レールユニット２２として形成され、その外レールユニット２２の終端に設けられる衝止部２６の下部位置から上辺の前記衝止部２６の対称の逆流防止部材１３が設けられる位置までが内レールユニット１２として形成されている。つまり、遊技板飾り枠１１は、外レールユニット２２と内レールユニット１２とを組み合わせて遊技板１０の表面に取り付けることにより構成されている。
【００２０】
外レールユニット２２は、その始端部に後述する発射レール３８の延長状に設けられたレール接続部材４４に連接する接続通路部２７が斜め状に形成されており、その接続通路部２７に隣接してファール口２３が形成されている。また、ファール口２３の上流端から衝止部２６までの外レールユニット２２には、金属製のレールが密着して取り付けられている。なお、衝止部２６は、勢いよく外レールユニット２２を滑走してきた打球が衝突したときに、その衝突した打球を遊技領域２０の内側に反発させるようにゴムや合成樹脂の弾性体が設けられるものであり、逆流防止部材１３は、一端発射されて遊技領域２０の内側に取り入れられた打球が再度外レールユニット２２に逆流しないように防止するものである。更に、外レールユニット２２の下部一側には、金属製のレールの一部に沿うように防犯突起１５が突設されている。この防犯突起１５は、扉枠５が閉じられた状態で後述する防犯カバー２１０に突設される防犯後端部突片２１５と上下方向に重複して本体枠３と扉枠５の軸支側の隙間の中程よりやや下方から挿入されるピアノ線等の不正具の侵入を防止するものである。
【００２１】
また、内レールユニット１２の下部中央には、アウト口２１が設けられ、そのアウト口２１から逆流防止部材１３までの内レールユニット１２と外レールユニット２２との間は、発射された打球が遊技領域２０まで誘導される誘導通路を構成するものであるが、遊技領域２０に到達せずに外レールユニット２２を逆流した打球はファール口２３に取り込まれて再度皿ユニット３００の皿体３６０に排出されるようになっている。なお、遊技領域２０は、実質的に内レールユニット１２によって囲まれる領域である。また、内レールユニット１２のアウト口２１から衝止部２６に向かう途中の遊技板飾り枠１１には、レール防犯溝１４が形成されている。このレール防犯溝１４は、扉枠５が閉じられた状態で後述する防犯カバー２１０に突設される防犯後突片２１４の一部が進入するように溝状に形成されており、このレール防犯溝１４と防犯後突片２１４との凹凸係合により、上下方向に重複して本体枠３と扉枠５の開放側の隙間の中程よりやや下方から挿入されるピアノ線等の不正具の侵入を最終的に防止するものである。
【００２２】
ところで、遊技盤４の一側には、本体枠３に形成される盤位置決め突起３７に嵌合する位置決め凹部１６が形成され、遊技盤４の他側には、本体枠３に形成される盤止め具挿入穴（図示しない）に挿入される遊技盤止め具１７が設けられている。遊技盤止め具１７は、押し込み固定したときにその端部が盤止め具挿入穴に挿入されるようになっている。しかして、遊技盤４を本体枠３に固定するためには、本体枠３の前面側から位置決め凹部１６が盤位置決め突起３７に嵌合するように斜め方向から差し込んだ後、遊技盤４の全体を本体枠３の後述する収納壁３１に押し込み、その状態でフリーな状態となっている遊技盤止め具１７を押し込み固定してその端部を盤止め具挿入穴に挿入して固定する。その後、本体枠３の板部３２の前面上部に回動自在に設けられる遊技盤固定具４６を回動して遊技盤４の下部前面を固定する。これによって遊技盤４を本体枠３に簡単に装着することができる。遊技盤４を取り外すには、上記の手順と逆の手順で取り外せばよい。ただし、図示の実施形態の場合には、遊技盤４の下方側の下端辺の一部を切り欠いて締結部１９が形成されており、この締結部１９と本体枠３の板部３２に形成される締結穴４１とを図示しない締結具で締結することにより、その締結具を切断しない限り遊技盤４を本体枠３から取り外せないようにすることも可能となっている。
【００２３】
また、遊技盤４の外形形状は、その上部左右に前記扉枠５の裏面に設けられるスピーカ１４４ａ，１４４ｂの後方突出部分を受け入れるようにスピーカ用切欠部１８が形成され、また、ファール口２３の側方斜め下に賞球を排出するための通路の一部が挿入される通路用切欠部２８が形成されている。また、遊技板飾り枠１１の下方左右には、証明確認用の証紙を貼付する証紙貼付部２９が設けられている。
【００２４】
一方、遊技盤４の裏面下部には、図６３に示すように、盤用基板ホルダー２４が固定されている。この盤用基板ホルダー２４は、その前方に入賞球を集めるように空間部が形成され、その空間部の底面に落下口（図示しない）が形成されている。この落下口は、前記アウト口２１の後面部分で合流して後述する基板ユニット５４に形成されるアウト球通路（図示しない）に連通するものである。また、盤用基板ホルダー２４には、その裏面に遊技動作を制御する遊技制御基板を収納する遊技制御基板ボックス２５が取り付けられている。
【００２５】
上記した遊技盤４が取り付けられる本体枠３の構成について説明すると、本体枠３は、合成樹脂によって一体的に成形されるものであり、本体枠３の一側上下には、本体枠３を外枠２に開閉軸支するための上軸支金具４７及び下軸支金具４８が取り付けられている。この軸支金具４７，４８を外枠２に取り付けられる上支持金具７及び下支持金具８にそれぞれ係合することにより、本体枠３を外枠２に対して開閉自在に軸支することができる。
【００２６】
ところで、本体枠３は、正面から見た場合に、図６に示すように、長方形状に形成され、その上部の約３／４が遊技盤４を設置するための遊技盤設置凹部３０となっており、その遊技盤設置凹部３０の下方のやや奥まった領域が板部３２となっている。遊技盤設置凹部３０の後方には、図６０に示すように、遊技盤設置凹部３０の空間を形成するために収納壁３１が後方に向って突設され、この収納壁３１によって囲まれる空間に、遊技盤４及び該遊技盤４に設けられる液晶表示装置等の各種の遊技装置の後方突出部分が収納されるようになっている。
【００２７】
また、遊技盤設置凹部３０を囲む前面側の前面上辺部及び前面右側辺部は、扉枠５の裏面と対面するように所定幅を有して形成されており、前面上辺部には、横方向に平行状に突設される突起によって上部防犯二重溝３３が形成され、正面から見て前面右側辺部である開放辺部には、外側に側部防犯溝３４が形成されると共に内側に後端が収納壁３１に接続される傾斜面となっている内壁によって形成される防犯凹部３５が形成され、正面から見て前面左側辺部である軸支辺部は、前面上辺部や前面右側辺部と異なり扉枠５の裏面と対面する所定幅を有するように形成されていないが、本体枠３自体の前面左側辺部が前面上辺部や前面右側面部に比べて前方への突出量が多い軸支辺部４９となっている。
【００２８】
より詳細に説明すると、前面上辺部に形成される上部防犯二重溝３３は、図６０に示すように、扉枠５の上辺部裏面に取付固定される上側補強板金１６１の両長辺端を後方に向って折曲される折曲突片１６５，１６６がそれぞれ挿入されるようになっているものである。また、前面右側辺部に形成される側部防犯溝３４及び防犯凹部３５は、図６５に示すように、扉枠５の開放部裏面に取付固定される開放側補強板金１６３の両長辺端を後方に向って折曲される開放側外折曲突片１７３及び開放側内折曲突片１７４がそれぞれ挿入されるようになっているものである。更に、前面左側辺部の軸支辺部４９には、図６４に示すように、扉枠５の軸支側裏面に取付固定される軸支側補強板金１６２の軸支側Ｌ字状折曲突片１６７の先端部が当接するようになっている。そして、上記した構造によって扉枠５と本体枠３との当接面の隙間からピアノ線等の不正具を挿入する不正行為を防止することができ、特に、最も不正行為が行われやすい開放側辺部や次いで不正行為が行われやすい上辺部における不正行為の防止をはかることができる構造となっている。もちろん、軸支側における軸支側補強板金１６２と軸支側Ｌ字状折曲突片１６７との当接による不正行為の防止も充分に機能するが、多くの場合、軸支側は、頑丈な支持金具７，８と軸支金具４７，４８とで本体枠３と扉枠５とが連結されているため、上辺部及び開放側辺部に比べて本体枠３と扉枠５との間に隙間が作り難い。このため、本実施形態においては、二重の防犯構造ではなく、一重の防犯構造としている。これらの点については、後に詳述する。
【００２９】
また、遊技盤設置凹部３０を囲む前面側の前面上辺部、前面右側辺部、及び前面左側辺部には、上記した構成以外に開放側である前面右側辺部の上部、中間部、下部に本体枠３の開放側裏面に取り付けられる後述する施錠装置６０に設けられる扉用フック部６１（図１５参照）を貫通させて前方に飛び出させるためのフック用開口３６が開設されており、また、図６に示すように、軸支側である前面左側辺部の内側面に遊技盤４に形成される位置決め凹部１６と係合するための上下２つの盤位置決め突起３７が設けられている。更に、軸支側である前面左側辺部の前記盤位置決め突起３７のやや下方位置の内側前方面に、扉枠５を閉じた状態で軸支側補強板金１６２の軸支側Ｌ字状折曲突片１６７の先端が挿入される上下２つの規制突起６３が突設されている。この規制突起６３の作用については後に詳述する。
【００３０】
次に、本体枠３の前面側の構成であって遊技盤設置凹部３０の下方に位置する板部３２に設けられる構成について説明すると、図６に示すように、板部３２の前面の中央部から開放側の端部に向かって発射レール３８がビス止め固定されている。この発射レール３８の先端位置に対応する板部３２の前面には、レール接続部材４４が突設され、遊技盤設置凹部３０に遊技盤４が設置されたときに、遊技盤４の外レールユニット２２の下流端である接続通路部２７と隣接するようになっている。レール接続部材４４の側方位置（発射レール３８と反対側の位置）には、遊技盤４の下部を固定するための楕円形状の遊技盤固定具４６が回動自在に取り付けられている。この遊技盤固定具４６は、前記遊技盤設置凹部３０に遊技盤４が載置された状態で時計方向に回動して遊技盤固定具４６を遊技盤４の前面に押圧して遊技盤４を固定するものである。一方、遊技盤４を取り外す場合には、遊技盤固定具４６を反時計方向に回すことにより、遊技盤４の下部の固定の解除を簡単に行うことができる。更に、遊技盤固定具４６の軸支側の側方に賞球払出ストッパー機構３９が設けられている。この賞球払出ストッパー機構３９は、後述する賞球ユニット５３から払出された賞球を扉枠５側の皿ユニット３００に払い出す賞球通路の途中に設けられるもので、扉枠５を開放したときに、自動的に賞球通路を閉塞して賞球通路から外部に球がこぼれ落ちないようにする一方、扉枠５を閉じたときに自動的に賞球通路を連通させて賞球ユニット５３から払出された賞球を皿ユニット３００に払い出すものである。なお、発射レール３８の発射位置の上方の板部３２には、前述したように遊技盤４に形成される締結部１９と図示しない締結具で締結するための締結穴４１が形成されている。
【００３１】
また、板部３２の開放側下部は、手前側に膨出状に突設された（裏面から見れば凹状となっている）直方体状の発射装置取付部４０が形成されており、この発射装置取付部４０に本体枠３の裏面から発射装置５７が固定されている。また、発射装置取付部４０の前面壁部分には、扉枠５の裏面側に取り付けられる後述するスライドユニット２３０のスライド係脱片２３１（図１参照）が挿入されるハンドル連結窓４０ａが形成され、扉枠５を閉じたときにスライド係脱片２３１がハンドル連結窓４０ａに挿入されて扉枠５の下部前面に設けられるハンドルユニット３１８と発射装置５７とが連携されて、ハンドルユニット３１８の回動操作量に応じた強さで発射装置５７の弾発力を調節することができるようになっており、それによって発射レール３８の発射位置にある球を弾発して遊技領域２０の所望の位置に打ち出すことができる。
【００３２】
また、板部３２の最下端辺部には、扉枠５を閉じたときに、扉枠本体１００の下辺を後方に向けて折曲した扉枠突片１１２（図１７参照）が挿入される係合溝４２，４３が形成されている。係合溝４２は、前述した発射装置取付部４０の下方に形成される溝であり、係合溝４３は、前記係合溝４２の一端から軸支側に向って形成される溝である。なお、扉枠突片１１２は、係合溝４３に対応する部分（図８において「１１２ａ」と表示した部分）の突出量が係合溝４２に対応する部分（図８において「１１２ｂ」と表示した部分）の突出量よりも大きくなるように後方に向って突設されている。ただし、開放端下部には、突出量の多い扉枠突片１１２ａが僅かに形成されている。そして、上記した扉枠突片１１２と係合溝４２，４３とが扉枠５と本体枠３との下側辺部における外側の突条及び係合部を構成するものである。
【００３３】
上記のように板部３２には、発射レール３８や賞球払出ストッパー機構３９が設けられ且つレール接続部材４４や発射装置取付部４０が突設形成されているが、発射装置取付部４０及び発射レール３８の板部３２における配置位置が開放側に偏り、しかもそれらが板部３２の表面よりも突出して形成されている。このため、扉枠５を閉じた状態において、発射装置取付部４０及び発射レール３８が配置される板部３２のほぼ中央部から開放側にいたる領域は、扉枠５の裏面と発射装置取付部４０及び発射レール３８の前面とが密着した状態となるため、前述した扉枠突片１１２と係合溝４２との隙間を上手にすり抜けてきたピアノ線等の不正具を扉枠５の裏面と発射装置取付部４０及び発射レール３８の前面との間をさらに上手にすり抜けさせて遊技盤４の表面側若しくは遊技盤４の裏面側に到達させることは極めて困難である。
【００３４】
一方、発射装置取付部４０及び発射レール３８が配置されない板部３２のほぼ中央部から軸支側にいたる領域は、板部３２の表面に突出した部分がないため、扉枠５を閉じた状態において、扉枠５の裏面と板部３２の前面との間に空間４５が生じてしまう。このため、前述した扉枠突片１１２（ただし、この扉枠突片１１２ａは不正具が侵入し難いように突出量が大きく形成されている。）と係合溝４３との隙間を上手にすり抜けてきたピアノ線等の不正具が扉枠５の裏面と板部３２の前面との間の空間４５を簡単にすり抜けてしまうことができるため、この空間４５を不正具が上方に向ってすり抜けないように、扉枠５の裏面下部に取り付けられる装着台２２０には、扉枠５を閉じた状態で該空間４５に進入する防犯突片２２５が形成されている。この防犯突片２２５は、板部３２のほぼ中程から軸支側端部までいたるように装着台２２０に形成されている。したがって、発射レール３８及び遊技盤４に取り付けられる外レールユニット２２の下方空間は、装着台２２０に突設される防犯突片２２５を受け入れる防犯空間４５を構成している。そして、この防犯突片２２５と防犯空間４５とが扉枠５と本体枠３との下側辺部における内側の突条及び係合部を構成するものである。
【００３５】
本体枠３の前面構造は、概ね上記した通りであるが、次に、主として図４を参照して本体枠３の裏面構造について説明する。図４に示すように、本体枠３の裏面上部には、賞球又は貸球として払い出すための球を貯留する賞球タンク５０が着脱自在に装着され、その賞球タンク５０の下方に該賞球タンク５０からの球を横傾斜状に誘導するタンクレール部材５１が配置され、さらにタンクレール部材５１の流下端から下方に向けて球通路ユニット５２及び賞球ユニット５３が設けられている。タンクレール部材５１は、賞球タンク５０からの球を前後方向に２列に整列させながら下流側に誘導するものであり、そのタンクレール部材５１の下流端から球通路ユニット５２に球が移動する際に１列となって球通路ユニット５２内を落下する。そして、球通路ユニット５２から賞球ユニット５３に導かれた球は、次に説明する賞球払出基板ボックス５５に収納される賞球払出基板によって実行される払出制御プログラムに応じて所定個数の賞球や貸球を払出し、その払出した球を扉枠５の前面側に設けられる皿ユニット３００に排出するようになっている。なお、賞球ユニット５３には、詳細に図示しないが払出モータと該払出モータによって回転駆動されて球を１個単位で払い出す回転払出部材が設けられている。
【００３６】
更に、本体枠３の裏面には、その下部に基板ユニット５４が取り付けられている。この基板ユニット５４には、賞球払出基板ボックス５５、外部接続端子基板５６、電源基板ボックス（図示しないが賞球払出基板ボックス５５及び外部接続端子基板５６の奥側に固定されている。）等の遊技盤４に設けられない基板ボックスが集約して設けられている。つまり、遊技盤４が交換されても交換する必要のない制御基板を収納する基板ボックスが集約して設けられるものである。そして、遊技盤４を遊技盤設置凹部３０に収納設置した際に、遊技盤４側に設けられる遊技制御回路基板と基板ユニット５４に設けられる基板であって遊技制御回路基板と接続する必要のある基板との電気的な接続が自動的に行われるようになっている。上記した基板ユニット５４の下方であって前記発射装置取付部４０には、ユニット化された発射装置５７が取り付けられている。さらに、本体枠３の前述した収納壁３１の後端に沿って形成される後面開口には、カバー体５８が開閉自在に設けられている。このカバー体５８は、遊技盤４の後方部の全域を覆うものであり、このカバー体５８を取り付けて閉じた状態では、図５に示すように、パチンコ遊技機１の最も後方へ突出している前記タンクレール部材５１の後端部とほぼ同一垂直面となるように形成されている。
【００３７】
また、本体枠３の開放側裏面には、施錠装置６０が固定されている。この施錠装置６０は、本体枠３の外枠２に対する施錠、及び扉枠５の本体枠３に対する施錠の両方の施錠を行う、所謂Ｗ錠といわれるものであり、この施錠装置６０から本体枠３の前方に向けて複数（本実施形態においては３個）の扉枠用フック部６１とシリンダー錠６２（共に図１参照）とが突出するように設けられている。
【００３８】
〔扉枠〕
次に、上記した本体枠３の前面側に開閉自在に設けられる扉枠５について、図７乃至図６９を参照して説明する。図７は、扉枠５の正面図であり、図８は、扉枠５の背面図であり、図９は、図７に表示されるＡ−Ａ断面図であり、図１０は、図７に表示されるＢ−Ｂ断面図であり、図１１は、図７に表示されるＣ−Ｃ断面図であり、図１２は、図７に表示されるＤ−Ｄ断面図であり、図１３は、図８に表示されるＥ−Ｅ断面図であり、図１４は、図８に表示されるＦ−Ｆ断面図であり、図１５は、図１４と同じ断面図の部位における従来の補強板金１６３の開放側外折曲突片１７３の形状を示す断面図であり、図１６は、扉枠５の正面から見た分解斜視図であり、図１７は、扉枠５の背面から見た分解斜視図であり、図１８は、扉枠５の前面側に取り付けられる扉レンズユニット１２０の正面から見た分解斜視図であり、図１９は、扉レンズユニット１２０に設けられるレンズベース体１２１と冷陰極管１３２との関係を示す平面図であり、図２０は、冷陰極管１３２の支持構造を説明するための拡大平面図であり、図２１は、レンズベース体１２１と冷陰極管１３２との関係を示す斜視図であり、図２２は、扉レンズユニット１２０のレンズカバー１４０と皿ユニット３００に設けられるレンズカバー３０９との関係を示すパチンコ遊技機１の正面斜視図であり、図２３は、扉枠５の防犯カバー２１０を取り外した状態の背面図であり、図２４は、扉枠５に着脱自在に取り付けられるガラスユニット１９０の正面図（Ａ）・背面図（Ｂ）であり、図２５は、ガラスユニット１９０の分解斜視図であり、図２６は、扉枠５に取り付けられる防犯カバー２１０の正面から見た斜視図（Ａ）と背面から見た斜視図（Ｂ）であり、図２７は、扉枠５の一側上部に設けられるスピーカを覆うスピーカカバー１４６ｂ部分の拡大正面図であり、図２８は、スピーカ１４４ａの斜視図であり、図２９は、扉枠５の一側上部に設けられるスピーカ１４４ｂ部分の背面から見た従来例（Ａ）と本実施形態例（Ｂ）の拡大斜視図であり、図３０は、スピーカカバー１４６ａ，１４６ｂ及び装飾部材１４９ａ，１４９ｂを構成する部材のうち、ＬＥＤに照射される部材を取り除いた場合の扉枠５の正面図であり、図３１は、一方のスピーカカバー１４６ｂ及び装飾部材１４９ｂの前面から見た斜視図であり、図３２は、一方のスピーカカバー１４６ｂ及び装飾部材１４９ｂの背面から見た斜視図であり、図３３は、扉枠５の前面に設けられる皿ユニット３００の正面図であり、図３４は、図３３に表示されるＡ−Ａ断面図であり、図３５は、図３３に表示されるＢ−Ｂ断面図であり、図３６は、図３３に表示されるＣ−Ｃ断面図であり、図３７は、皿ユニット３００の正面から見た分解斜視図であり、図３８は、皿ユニット３００の背面から見た分解斜視図であり、図３９は、皿ユニット３００の内部に設けられる下部スピーカユニット３３０の正面図（Ａ）・平面図（Ｂ）・背面図（Ｃ）であり、図４０は、下部スピーカユニット３３０の右側面図（Ａ）・正面から見た斜視図（Ｂ）・背面から見た斜視図（Ｃ）であり、図４１は、下部スピーカユニット３３０の正面から見た分解斜視図であり、図４２は、下部スピーカユニット３３０の背面から見た分解斜視図であり、図４３は、下部スピーカボックス３３０の正面図（Ａ）とその正面図中に表示されるＢ−Ｂ断面図（Ｂ）であり、図４４は、下部スピーカボックス３３０とその上部に位置する皿体３６０との関係を示す背面から見た斜視図であり、図４５は、皿体３６０の背面図であり、図４６は、下部スピーカボックス３３０と皿体３６０とを組み付けた状態での背面から見た斜視図であり、図４７は、下部スピーカボックス３３０と皿体３６０とを組み付けた状態での背面図であり、図４８は、皿体３６０に設けられる第２球抜弁３７５と第２球抜ボタン４０１との関係を示す正面から見た斜視図であり、図４９は、皿体３６０に設けられる第２球抜弁３７５と第２球抜ボタン４０１との関係を示す平面図であり、図５０は、皿体３６０に設けられる第２球抜弁３７５と第２球抜ボタン４０１との関係を示す背面から見た斜視図であり、図５１は、第２球抜弁３７５と第２球抜ボタン４０１とを連結するためのリンク機構を示す背面図であり、図５２は、第２球抜弁３７５と第２球抜ボタン４０１の作用を説明するための平面図であり、図５３は、皿ユニット３００に設けられる操作ボタンユニット３２６の斜視図であり、図５４乃至図５６は、皿ユニット３００を組み立てる工程を説明するための背面から見た斜視図であり、図５７は、皿ユニット３００への操作ボタンユニット３２６の組み付けを説明するための斜視図（Ａ）・正面図（Ｂ）であり、図５８は、皿ユニット３００への操作ボタンユニット３２６の組み付けを説明するための断面図であり、図５９は、パチンコ遊技機１の正面図であり、図６０は、図５９に表示されるＡ−Ａ断面図であり、図６１は、図５９に表示されるＢ−Ｂ断面図であり、図６２は、図５９に表示されるＣ−Ｃ断面図であり、図６３は、図５９に表示されるＤ−Ｄ断面図であり、図６４は、図５９に表示されるＥ−Ｅ断面図であり、図６５は、図５９に表示されるＦ−Ｆ断面図であり、図６６は、図５９に表示されるＧ−Ｇ断面図であり、図６７は、図５９に表示されるＨ−Ｈ断面図であり、図６８は、図５９に表示されるＩ−Ｉ断面図であり、図６９は、図５９に表示されるＪ−Ｊ断面図である。
【００３９】
図７、図８、図１６及び図１７に示すように、扉枠５は、方形状に形成される扉枠本体１００の上部に縦長六角形状の遊技窓１０１が形成され、該遊技窓１０１の前面周囲に扉レンズユニット１２０が取り付けられ、また、遊技窓１０１の下方の板状部の前面に扉枠本体１００に皿ユニット３００が設けられ、その皿ユニット３００の一側（開放側）にハンドルユニット３１８が突設固定されている。また、扉枠本体１００の裏面には、遊技窓１０１の周囲に補強板金１６０が固定され、遊技窓１０１を閉塞するようにガラスユニット１９０が取り付けられると共に、前記遊技窓１０１の下方の板状部の裏面に、前記ハンドルユニット３１８に対応するスライドユニット２３０、装着台２２０、及び枠装飾中継基板２４０がそれぞれ取り付けられている。なお、ガラスユニット１９０の裏面下部には、防犯機能を有する防犯カバー２１０も装着されている。以下、扉板５を構成する上記の各構成部材のより詳細な構造について説明する。
【００４０】
<扉枠本体>
図１６及び図１７に示すように、扉枠本体１００は、合成樹脂によって額縁状に形成され、前述したように上方部に縦長六角形状の遊技窓１０１が形成され、その遊技窓１０１の下方が板状部となっている。遊技窓１０１の上部左右には、後述するスピーカ１４４ａ，１４４ｂを貫通させる円形状のスピーカ用開口１０２が形成され、そのスピーカ用開口１０２の下方に後述するガラスユニット１９０の止め片１９４を係止するための止めレバー１０８（図２３参照）が回動自在に設けられている。
【００４１】
一方、遊技窓１０１の下方の板状部には、軸支側上部に皿ユニット３００の賞球連絡樋４３１（図３８参照）が貫通する賞球通過口１０３が開設され、その斜め中央寄りに後述する側面開口蓋３８３（図３８参照）を脱着するための蓋用開口１０５が開設され、その蓋用開口１０５の開放側の隣接する位置に球送りユニット２２６を装着するための球送り開口１０４が開設され、さらに球送り開口１０４のさらに開放側寄りに前記シリンダー錠６２が貫通するための錠穴１０６が開設されている。また、球送り開口１０４の下方の板状部の裏面側にスライドユニット２３０を取り付けるためのスライドユニット装着凹部１０７が形成され、同じく下方の板状部の裏面側の遊技窓１０１の下部左右にガラスユニット１９０の掛止突片１９５を掛け止めるための係合受片１０９（図２３参照）が形成され、その係合突片１０９の側方に防犯カバー２１０の後述する装着弾性片２１３が装着される装着開口部１１０が形成されている。また、板状部の前面中央には、前方に向って後述する皿ユニット３００の案内穴４３６（図９参照）に挿入される係合突起１１１が形成されている。更に、扉枠本体１００の下辺は、後方に突出した扉枠突片１１２となっており、前述したように、この扉枠突片１１２と本体枠３に形成される前記係合溝４２，４３とが扉枠５と本体枠３との下側辺部における外側の突条及び係合部を構成するものである。
【００４２】
<扉レンズユニット>
次に、上記した扉枠本体１００の前面側の上部に取り付けられる扉レンズユニット１２０の構成について主として図１６乃至図２２を参照して説明する。扉レンズユニット１２０は、図１８に示すように、前面を反射面とするリフレクタ１２２，１３０ａ，１３０ｂと、該リフレクタ１２２，１３０ａ，１３０ｂの前面及び内側に取り付けられる冷陰極管１３２，１３４ａ，１３４ｂ及びＬＥＤ基板１３７，１３８ａ，１３８ｂと、前記リフレクタ１２２，１３０ａ，１３０ｂの前方を覆う光透過性のあるレンズカバー１４０と、該レンズカバー１４０に取り付けられるスピーカ１４４ａ，１４４ｂと、前記レンズカバー１４０のベースとなるレンズベース体１２１と、から構成されている。
【００４３】
レンズベース体１２１は、平面視で前方が円弧で後方が直線の後面が開放した内部中空の三角形状に合成樹脂によって形成され、その中空内部に冷陰極管１３２，１３４ａ，１３４ｂに高電圧の電流を供給するインバータ基板１３６が収納固定されている。また、レンズベース体１２１の前面及び底面に当接するように断面Ｌ字状の上リフレクタ１２２が取り付けられている。この上リフレクタ１２２は、白色に着色されたポリカーボネート樹脂で形成されており、この白色着色樹脂によって反射率を高めた表面を有するものとしている。次に説明する側方リフレクタ１３０ａ，１３０ｂも同様に白色に着色されたポリカーボネート樹脂で形成されている。ところで、上リフレクタ１２２の前面は、反射面となっているが、図２１に示すように、上リフレクタ１２２の両端部に、上冷陰極管１３２の両端を支持するための電極支持部１２５が形成され、さらに上リフレクタ１２２の前面に適宜間隔を置いて上冷陰極管１３２を支持するために先端部がＵ字状に形成された陰極管支持片１２３が突設されている。これは、上冷陰極管１３２の中央が屈曲された「く」字状に屈曲して形成されているので、中央の屈曲部に応力がかかって破損しやすいため、両端の電極支持部１２５だけではなく適宜間隔を置いて陰極管支持片１２３で支持し、しかも、上冷陰極管１３２を陰極管支持片１２３に支持する際には、図２１（Ａ）に示すように、耐熱性ゴムパッキン１２４に挟んで上冷陰極管１３２が動かないように支持することにより、より破損し難い支持構造とすることができる。また、両端の電極支持部１２５は、図２０に示すように、上方が開放されていると共に、内側に向いている周壁に上冷陰極管１３２の端部を受け入れるように一辺が開口した電極挿入孔１２６が形成されており、この電極挿入孔１２６に上冷陰極管１３２の配線が接続された端部に取り付けられた弾性変形し得るゴム製スリーブ１３３を開口部分の対面方向である上方から挿入し、その後、電極支持部１２５の上方から電極蓋１２７を嵌め込むことにより、上冷陰極管１３２を上リフレクタ１２２の前面に装着することができる。このように上リフレクタ１２２の両端部にゴム製スリーブ１３３を装着し、そのゴム製スリーブ１３３部分を電極支持部１２５の電極挿入孔１２６に遊嵌状態で支持させることにより、図２０（Ｃ）に示すように、上冷陰極管１３２が衝撃等により振動しても、ゴム製スリーブ１３３がその振動を吸収する際に、上冷陰極管１３２の端部が電極支持部１２５の部分で揺動あるいは摺動して破壊応力が弱められるので、電極支持部１２５部分及び上冷陰極管１３２の屈曲部での上冷陰極管１３２の破損を防止することができる。なお、上リフレクタ１２２の左右端には、スピーカ１４４ａ，１４４ｂを貫通させるスピーカ貫通穴１２８ａ，１２８ｂが形成されている。
【００４４】
上記の上リフレクタ１２２の両端に側方リフレクタ１３０ａ，１３０ｂが垂下するように連結されている。この側方リフレクタ１３０ａ，１３０ｂも上リフレクタ１２２と同様に白色に着色されたポリカーボネート樹脂で形成されているが、側方リフレクタ１３０ａ，１３０ｂの前方に取り付けられる側方冷陰極管１３４ａ，１３４ｂは、直線状のものであるため、その側方冷陰極管１３４ａ，１３４ｂを支持する電極支持部１３１ａ，１３１ｂが、側方リフレクタ１３０ａ，１３０ｂの上下端部の２箇所に形成されている。もちろん、電極支持部１３１ａ，１３１ｂに側方冷陰極管１３４ａ，１３４ｂが支持される際には、上冷陰極管１３２と電極支持部１２５との関係を同じように、側方冷陰極管１３４ａ，１３４ｂの端部にゴム製スリーブ１３５ａ，１３５ｂが装着され、そのゴム製スリーブ１３５ａ，１３５ｂが電極支持部１３１ａ，１３１ｂに当接して支持されるようになっている。これにより、側方冷陰極管１３４ａ，１３４ｂが振動しても破損し難い支持構造とすることができる。
【００４５】
上記した上リフレクタ１２２及び側方リフレクタ１３０ａ，１３０ｂの内側には、多数のＬＥＤが実装されているＬＥＤ基板１３７，１３８ａ，１３８ｂが取り付けられている。このＬＥＤ基板１３７，１３８ａ，１３８ｂに実装されるＬＥＤによって次に説明するレンズカバー１４０の内周面が装飾される。
【００４６】
上記したレンズベース体１２１と上冷陰極管１３２及び側方冷陰極管１３４ａ，１３４ｂが装着された上リフレクタ１２２及び側方リフレクタ１３０ａ，１３０ｂとは、レンズカバー１４０の裏面側に固定される。レンズカバー１４０は、前記レンズベース体１２１と上冷陰極管１３２が装着された上リフレクタ１２２に対応する上レンズカバー部１４１と、前記側方冷陰極管１３４ａ，１３４ｂが装着された側方リフレクタ１３０ａ，１３０ｂに対応する側方レンズカバー部１４２ａ，１４２ｂとが透過性の樹脂によって形成されている。より詳細に説明すると、上レンズカバー部１４１及び側方レンズカバー部１４２ａ，１４２ｂは、共に白色レンズ部として構成され、その白色レンズ部１４１，１４２ａ，１４２ｂの内側に赤色レンズ部１４１ｄ（図１１参照）及び赤色レンズ部１４２ｄ（図１２参照；なお、左右の側方レンズカバー部１４２ａ，１４２ｂの内側の赤色レンズ部の符号は、同一の「１４２ｄ」と表示する。）を重ね合わせて構成されるものである。そして、この赤色レンズ部１４１ｄ，１４２ｄを前記上ＬＥＤ基板１３７及び側方ＬＥＤ基板１３８ａ，１３８ｂに設けられる多数のＬＥＤによって照明するものである。
【００４７】
ところで、上レンズカバー部１４１は、内部が空洞で後方が開放した断面楔状に形成されると共に平面視においてブーメラン形状に構成されるものであり、前述した「く」字状に形成される上冷陰極管１３２とその楔状の先端部内面との距離が近くなるように形成されている。そして、上レンズカバー部１４１の楔状先端部外側には、銀色に着色された先頭レンズ部１４１ｃが接着されており、上レンズカバー部１４１の全体を上冷陰極管１３２で照明している。また、側方レンズカバー部１４２ａ，１４２ｂは、内部が空洞で後方が開放して断面楔状に形成される点で上レンズカバー部１４１と同様であるが、側方視において楔状の突出量が上レンズカバー部１４１に比べて少なく、また全体としてなだらかな曲線を有するブーメラン形状に構成されるものであり、前述した直線状に形成される側方冷陰極管１３４ａ，１３４ｂとその楔状の先端部内面との距離が近くなるように形成されている。そして、側方レンズカバー部１４２ａ，１４２ｂの楔状先端部外側には、銀色に着色された先頭レンズ部１４２ｃが接着されており、側方レンズカバー部１４２ａ，１４２ｂの全体を側方冷陰極管１３４ａ，１３４ｂで照明している。
【００４８】
このように本実施形態において、扉枠５の前面周囲を装飾する照明手段として冷陰極管を使用している理由は、以下の通りである。扉枠５の前面周囲を装飾する際に、発光源とその発光源の前面に配置されるレンズカバーの距離をあまり大きく取ることができないという制約がある。この制約は、扉枠５は常に開閉されるため、あまり突出量を大きくすると、開放時における作業等に支障を来たすおそれがあるからである。しかして、発光源とレンズカバーとの間の距離があまりとれない状況において、従来のように、発光源として、ランプやＬＥＤを点在させた場合に、レンズカバーを通して視認できる光装飾は、連続した状態の光装飾が視認できるものではなく光が強い部分と弱い部分との斑模様に視認できるに過ぎない。これに対し、本実施形態のように、発光源として連続した冷陰極管１３２，１３４ａ，１３４ｂを使用した場合に、冷陰極管１３２，１３４ａ，１３４ｂとレンズカバー１４０との距離が短くても、レンズカバー１４０を通して視認できる光装飾は、連続した状態の美しい光装飾が視認できるものである。このため、正に遊技盤４を囲む領域が連続した美しい光装飾により縁取られた状態となるので、従来のパチンコ遊技機にはない装飾効果を奏することができる。なお、発光源とレンズカバーとの距離をある程度とることができる場合には、ＬＥＤ等の点在する発光源を使用しても光が拡散してレンズカバーの全域をあまり強弱がなく照明することができるので、本実施形態においても、図２２に示すように、皿ユニット３００の前面上部を縁取るレンズカバー３０９に対応する発光源はＬＥＤ基板３０８（図１０参照）に設けられた複数のＬＥＤによって行われている。この点については、後に詳述する。
【００４９】
図１８に戻って、レンズカバー１４０の上レンズカバー部１４１と側方レンズカバー部１４２ａ，１４２ｂとの連結部分には、スピーカ１４４ａ，１４４ｂを取り付けるためのスピーカ取付穴１４３ａ，１４３ｂが穿設されている。スピーカ１４４ａ，１４４ｂは、図２８に示すように、スピーカコーン１４５ａが前面に設けられるものであり、そのスピーカコーン１４５ａを支持するコーン支持体を取付部材（図示しない）によってスピーカ取付穴１４３ａ，１４３ｂの裏面から取り付けるようになっている。また、スピーカ取付穴１４３ａ，１４３ｂの前面は、網目状カバー１４７ａ，１４７ｂがその前面に取り付けられたスピーカカバー１４６ａ，１４６ｂによって覆われている。このようにスピーカ１４４ａ，１４４ｂの前面は、網目状カバー１４７ａ，１４７ｂ（パンチングメタル）を有するスピーカカバー１４６ａ，１４６ｂによって覆われているので、後述するように網目状カバー１４７ａ，１４７ｂの前方からピアノ線等の不正具を差し込み、スピーカコーン１４５ａ，１４５ｂに不正穴１５０（図２８参照）をあけて遊技盤４の表面若しくは遊技盤４の裏面に不正具を差し込む不正行為が行われる可能性があるが、本実施形態においては、そのような不正行為を防止する構成が採用されている。この点については、後に詳述する。
【００５０】
更に、レンズカバー１４０の側方レンズカバー部１４２ａ，１４２ｂの下方に装飾部材取付領域１４８ａ，１４８ｂが形成され、その装飾部材取付領域１４８ａ，１４８ｂに装飾部材１４９ａ，１４９ｂが取り付けられている。この装飾部材１４９ａ，１４９ｂは、上記したスピーカカバー１４６ａ，１４６ｂと類似した形状にして、レンズカバー１４０を扉枠本体１００の表面に取り付けたときに、レンズカバー１４０の上部左右と下部左右とがバランスのとれた印象を与えるために取り付けられるものである。
【００５１】
ところで、上記したスピーカカバー１４６ａ，１４６ｂ及び装飾部材１４９ａ，１４９ｂは、上記したように単にスピーカ１４４ａ，１４４ｂの前方を覆ったり、あるいはレンズカバー１４０の下部を装飾したりするだけではなく、その周囲がＬＥＤで光装飾される構造となっている。この構造について図３０乃至図３２を参照して説明する。まず、スピーカカバー１４６ａ，１４６ｂについて説明する。図３１（Ａ）及び図３２（Ａ）は、２つのスピーカカバー１４６ａ，１４６ｂのうち、一方のスピーカカバー１４６ｂの分解斜視図を示しているが、他方のスピーカカバー１４６ａの構造も全く同じであるので、一方のスピーカカバー１４６ｂについて説明する。スピーカカバー１４６ｂは、合成樹脂で平板状に成形されたカバーベース板１５１の裏面にＬＥＤ基板１５２を密着させる一方、カバーベース板１５１の前方にスピーカ枠１５４を内蔵した状態でインナーレンズ１５３、前面レンズ１２９で覆い、前面を網目状カバー１４７ｂで閉塞する構成となっている。
【００５２】
より詳細に説明すると、カバーベース板１５１には、裏面側に位置するスピーカ１４４ｂのスピーカコーン１４５ｂが臨むスピーカ開口１５１ａが開設されると共に該スピーカ開口１５１ａの周囲に複数個のＬＥＤ１５２ｂをそれぞれ臨ませる複数個のＬＥＤ穴１５１ｂが形成されている。更に、カバーベース板１５１の裏面には、スピーカカバー１４６ｂの全体をスピーカ取付穴１４３ｂに取り付けるための取付ボス１５１ｃが上下２箇所に形成されている。また、ＬＥＤ基板１５２にも、スピーカ１４４ｂのスピーカコーン１４５ｂが臨むスピーカ開口１５２ａが開設されると共に該スピーカ開口１５２ａの周囲の前面に複数個のＬＥＤ１５２ｂが実装されている。ＬＥＤ基板１５２の裏面には、コネクタ１５２ｃが実装されている。また、ＬＥＤ基板１５２には、前記取付ボス１５１ｃを貫通させる逃げ孔１５２ｄが形成されている。
【００５３】
一方、カバーベース板１５１の前方に配置されるインナーレンズ１５３は、拡散剤が混入されて乳白色となっている合成樹脂によって膨出状に形成され、そのほぼ中央にスピーカ枠１５４が嵌め合わされる枠開口１５３ａが開設されている。このインナーレンズ１５３は、前面レンズ１２９の内周面に密着して設けられるものであり、インナーレンズ１５３及び前面レンズ１２９の内周面は共にレンズカット加工されてＬＥＤ１５２ｂからの光を拡散するようになっている。なお、前面レンズ１２９のほぼ中央にもスピーカ枠１５４が嵌め合わされる枠開口１２９ａが開設されている。
【００５４】
上記した前面レンズ１２９及びインナーレンズ１５３の枠開口１２９ａ，１５３ａに嵌め合わされるスピーカ枠１５４は、合成樹脂によって逆三角形上の筒状に形成され、その筒状の前面開口であるカバー開口１５４ａの前面をパンチングメタルで構成される網目状カバー１４７ｂによって閉塞され、その筒状の周壁であるスピーカ筒部１５４ｂの後端がカバーベース板１５１の表面に当接するようになっている。つまり、スピーカカバー１４６ｂを組み付けた状態では、カバーベース板１５１とＬＥＤ基板１５２のスピーカ開口１５１ａ，１５２ａに臨むスピーカ１４４ｂの効果音がスピーカ枠１５４のスピーカ筒部１５４ｂを通って網目状カバー１４７ｂの前方に向って発声されると共に、スピーカ筒部１５４ｂの外周を覆うインナーレンズ１５３及び前面レンズ１２９の全域がＬＥＤ１５２ｂに照射されて光装飾されるようになっている。なお、網目状カバー１４７ｂには、後方に向って差し込み片１４７ｃが突設され、その差し込み片１４７ｃをスピーカ枠１５４の前面に形成される差し込み溝（図示しない）に差し込むことにより、網目状カバー１４７ｂが装着されている。
【００５５】
次に、装飾部材１４９ａ，１４９ｂについて説明する。図３１（Ｂ）及び図３２（Ｂ）は、２つの装飾部材１４９ａ，１４９ｂのうち、一方の装飾部材１４９ｂの分解斜視図を示しているが、他方の装飾部材１４９ａの構造も全く同じであるので、一方の装飾部材１４９ｂについて説明する。装飾部材１４９ｂは、合成樹脂で平板状に成形された装飾ベース板１５５の裏面にＬＥＤ基板１５６を密着させる一方、装飾ベース板１５５の前方に装飾枠１５８を内蔵した状態でインナーレンズ１５７、装飾レンズ１３９で覆い、前面を装飾板１５９で閉塞する構成となっている。
【００５６】
より詳細に説明すると、装飾ベース板１５５には、外周縁の内側に沿って複数個のＬＥＤ１５６ａをそれぞれ臨ませる複数個のＬＥＤ穴１５５ａが形成されていると共に、装飾ベース板１５５の裏面に、装飾部材１４９ｂの全体を装飾部材取付領域１４８ｂに取り付けるための取付ボス１５５ｂが上下２箇所に形成されている。また、ＬＥＤ基板１５６にも、その前面の外周に沿って複数個のＬＥＤ１５６ａが実装されている。ＬＥＤ基板１５６の裏面には、コネクタ１５６ｂが実装されている。また、ＬＥＤ基板１５６には、前記取付ボス１５５ｂを貫通させる逃げ孔１５６ｃが形成されている。
【００５７】
一方、装飾ベース板１５５の前方に配置されるインナーレンズ１５７は、拡散剤が混入されて乳白色となっている合成樹脂によって膨出状に形成され、そのほぼ中央に装飾枠１５８が嵌め合わされる枠開口１５７ａが開設されている。このインナーレンズ１５７は、装飾レンズ１３９の内周面に密着して設けられるものであり、インナーレンズ１５７及び装飾レンズ１３９の内周面は共にレンズカット加工されてＬＥＤ１５６ａからの光を拡散するようになっている。なお、装飾レンズ１３９のほぼ中央にも装飾枠１５８が嵌め合わされる枠開口１３９ａが開設されている。
【００５８】
上記した装飾レンズ１３９及びインナーレンズ１５７の枠開口１３９ａ，１５７ａに嵌め合わされる装飾枠１５８は、合成樹脂によって逆三角形上の筒状に形成され、その筒状の前面開口であるカバー開口１５８ａの前面を装飾板１５９によって閉塞され、その筒状の周壁である装飾筒部１５８ｂの後端が装飾ベース板１５５の表面に当接するようになっている。つまり、装飾部材１４９ｂを組み付けた状態では、装飾筒部１５８ｂの外周を覆うインナーレンズ１５７及び装飾レンズ１３９の全域がＬＥＤ１５６ａに照射されて光装飾されるようになっている。なお、装飾板１５９には、後方に向って取付ボス１５９ａが突設され、その取付ボス１５９ａを装飾ベース板１５５の前記取付ボス１５５ｂの前面側に一致させ、取付ボス１５５ｂの裏面から長尺なビス（図示しない）で締着することにより、装飾板１５９が装着されている。
【００５９】
以上、詳述したように、本実施形態に係るスピーカカバー１４６ａ，１４６ｂ及び装飾部材１４９ａ，１４９ｂは、扉枠５の遊技窓１０１を囲む領域において、前述した冷陰極管１３２，１３４ａ，１３４ｂ及びＬＥＤ基板１３７，１３８ａ，１３８ｂによる光装飾とは別に四隅を重点的に光装飾するように構成されているので、遊技窓１０１の下辺を除く全周が漫然と光によって装飾されるのではなく、強弱のある光装飾とすることができる。特に、扉枠５の左右上部における光装飾は、従来、スピーカだけが配置される傾向が強く、そのスピーカ周りの光装飾が行われないため遊技窓１０１の外周周りの光装飾に斑がある印象を与えていたが、本実施形態のように構成することにより、遊技窓１０１の下辺を除く全周を効果的に光装飾を行うことができるものである。
【００６０】
<補強板金>
扉枠本体１００の前面側には、上記した扉レンズユニット１２０が取り付けられると共にその下方に皿ユニット３００が取り付けられる。ここで、皿ユニット３００の構造を説明する前に、扉枠本体１００の裏面側に取り付けられる補強板金１６０、ガラスユニット１９０、防犯カバー２１０、装着台２２０、スライドユニット２３０、枠装飾中継基板２４０について順次説明する。まず、補強板金１６０について主として図１６、図１７、及び図８乃至図１５を参照して説明する。
【００６１】
補強板金１６０は、図１６及び図１７に示すように、扉枠本体１００の上辺部裏面に沿って取り付けられる上側補強板金１６１と、扉枠本体１００の軸支側辺部裏面に沿って取り付けられる軸支側補強板金１６２と、扉枠本体１００の開放側辺部裏面に沿って取り付けられる開放側補強板金１６３と、扉枠本体１００の遊技窓１０１の下辺裏面に沿って取り付けられる下側補強板金１６４と、が相互にビス等で締着されて方形状に構成されるものである。
【００６２】
上側補強板金１６１は、所定幅を有して扉枠本体１００の横幅寸法とほぼ同じ長さに形成され、その長辺の両端縁が後方に向って折曲した上折曲突片１６５、下折曲突片１６６となっている。この上折曲突片１６５及び下折曲突片１６６は、本体枠３の前述した上部防犯二重溝３３に嵌合されるものであり、図示の実施形態においては、図１１及び図６０に示すように、上折曲突片１６５の方が下折曲突片１６６よりも僅かにその突出量が大きくなるように形成されている。これは、上折曲突片１６５と上部二重溝３３の上溝との凹凸係合の度合いを大きくしてピアノ線等の侵入をさせ難くする一方、仮に、この外側の防犯凹凸係合を侵入した場合に、内側の凹凸係合の度合いが小さくても、不正具を操作しながら内側の凹凸係合をすり抜けるのは極めて困難であるからである。もちろん、上辺部からの不正具の挿入が、後述する開放側の不正具の挿入よりも店側に発見され易いので、その分、内側の凹凸係合の度合いを外側の凹凸係合の度合いよりも小さくしてもよいと言う考えにも基いている。しかし、外側と内側の凹凸係合の度合いが一緒となるようにしても良い。
【００６３】
軸支側補強板金１６２も、所定幅を有して扉枠本体１００の縦長寸法とほぼ同じ長さに形成され、その長辺の両端縁が後方に向って折曲されているが、内側の軸支側短折曲突片１７２は極めて短く、外側の折曲突片が、図６４に示すように折曲部から先がＬ字状に形成された軸支側Ｌ字状折曲突片１６７となっている。この軸支側Ｌ字状折曲突片１６７は、そのＬ字状に曲がった先端部が前述した本体枠３の軸支側の延設された軸支辺部４９の内側に当接するようになっており、扉枠５と本体枠３との当接面からピアノ線等の不正具が挿入された場合に、不正具の先端が軸支側Ｌ字状折曲突片１６７と軸支辺部４９の内側の当接部分を容易にすり抜けないようにしている。特に、扉枠５の軸支側は、前述したように本体枠３との間で隙間があけにくく且つ不正な作業が行い難い反面、開閉軸側であるため上辺部や開放側辺部のように凹凸係合する構造にすると開閉動作に支障を来たすおそれがあるため、軸支側Ｌ字状折曲突片１６７と軸支辺部４９の内側の当接構造としたものである。また、図１６に示すように、軸支側補強板金１６２の上下端部には、その上面に上下方向に摺動自在に設けられる軸ピン１６９を有する上軸支部１６８と、その下面に軸ピン１７１（図８参照）を有する下軸支部１７０と、が一体的に形成されている。そして、上下の軸ピン１６９，１７１が本体枠３の軸支側上下に形成される上軸支金具４７及び下軸支金具４８に軸支されることにより、扉枠５が本体枠３に対して開閉自在に設けられるものである。
【００６４】
ただし、本体枠３との間で隙間があけにくいものであるとしても、扉枠５に設けられる皿ユニット３００の上面に体重をかけて押圧することにより、上記した軸ピン１６９，１７１と上軸支金具４７及び下軸支金具４８との軸支部を変形させて扉枠５と本体枠３との軸支側の隙間を意図的に形成される場合があるので、本実施形態においては、前述したように、本体枠３の軸支側に規制突起６３を上下２箇所に突設している。即ち、図６４及び図６６に示すように、本体枠３に対して扉枠５を閉じた状態においては、軸支側補強板金１６２の軸支側Ｌ字状折曲突片１６７の先端部の一部が規制突片６３の後方に挿入された状態となっている。このため、遊技者が皿ユニット３００を上方から下方に向けて押圧しても、軸支側補強板金１６２の軸支側Ｌ字状折曲突片１６７が規制突片６３と当接して前方へ移動しないように規制するため、軸ピン１６９，１７１と本体枠３に固定される上軸支金具４７及び下軸支金具４８との軸支部への作用力を弱めることができ、これによって軸ピン１６９，１７１と上軸支金具４７及び下軸支金具４８との軸支部の変形を防止して本体枠３と扉枠５の軸支側における隙間が意図的に形成されないようにしている。なお、規制突起６３が突設されていても、扉枠５を開放するときに軸支側Ｌ字状折曲突片１６７が規制突起６３に接触することなく回動移動するので、扉枠５の開閉動作をスムーズに行うことができる。
【００６５】
開放側補強板金１６３は、所定幅を有して扉枠本体１００の縦長寸法とほぼ同じ長さに形成され、その長辺の両端縁が後方に向って折曲した開放側外折曲突片１７３、開放側内折曲突片１７４となっている。開放側外折曲突片１７３は、前述した本体枠３の側部防犯溝３４に挿入されるものであり、開放側内折曲突片１７４は、本体枠３の防犯凹部３５に挿入されるものである。しかして、開放側外折曲突片１７３と側部防犯溝３４とは、図６５及び図６７に示すように、凹凸係合するようになっているが、開放側内折曲突片１７４と防犯凹部３５とは、凹凸係合とはいえないものの、開放側内折曲突片１７４が防犯凹部３５内に進入した状態で開放側内折曲突片１７４の先端がガラスユニット１９０よりも遊技盤４に近い位置であって遊技盤４の遊技板飾り枠１１の前端面からやや遊技盤４寄りの位置まで進入される長さに設定されているため、仮に上記した開放側外折曲突片１７３と側部防犯溝３４との凹凸係合部をすり抜けて不正具が侵入したとしても、開放側内折曲突片１７４によって案内される不正具の先端がガラスユニット１９０と遊技盤４の遊技板飾り枠１１との間から遊技盤４の表面に侵入することはない。
【００６６】
更に、本実施形態における開放側補強板金１６３には、従来にはない構造を採用している。即ち、開放側補強板金１６３の上部、中間部、下部に施錠装置６０の扉枠用フック部６１が進入しえるように係合開口１７５が形成され、その係合開口１７５の裏面側を覆うように扉枠フック部６１が係合するフックカバー１７６が固定されている。したがって、扉枠５を本体枠３に対して施錠した状態では、図１４に示すように、施錠装置６０の扉枠フック部６１がフックカバー１７６に係合すると共に、扉枠フック部６１の先端が係合開口１７５の内部に進入した状態となっている。この状態で開放側補強板金１６３と扉枠本体１００との間に無理やり不正具を差し込んだ場合には、図１５に示すように、その不正具が係合開口１７５の内部に進入した扉枠フック部６１に到達し、その扉枠フック部６１を引き上げたりして施錠装置６０を開錠する不正を行うことが可能である。しかし、本実施形態の場合には、図１４に示すように、開放側補強板金１６３の係合開口１７５の外側の開口縁に沿って前方に突出するように防犯開口曲片部１７３ａを開放側補強板金１６３に一体的に形成したので、開放側補強板金１６３と扉枠本体１００との間に無理やり不正具を差し込んだ場合であっても、その不正具の先端が防犯開口曲片部１７３ａによって係合開口１７５の内部に侵入することできないため、扉枠フック部６１を引き上げたりして施錠装置６０を開錠する不正を行うことができない。このように本実施形態に係る扉枠５においては、施錠装置６０における扉枠用フック部６１の不正な操作を防止することができるようになっている。なお、図１５に示す場合のように、防犯開口曲片部１７３ａが形成されていない場合には、扉枠フック部６１に対する不正操作を行うことができるばかりではなく、熟練することにより係合開口１７５からさらに不正具の先端を後方に向けて侵入させ、遂には、図６に示すフック用開口３６から施錠装置６０内に不正具を侵入させて、扉枠５だけではなく、本体枠３を開閉させる連結杆をも上下動させる不正行為を行うことも可能である。しかし、本実施形態のように防犯開口曲片部１７３ａを設けることにより、施錠装置６０に対する不正行為を確実に防止することができるものである。
【００６７】
下側補強板金１６４は、所定幅を有して扉枠本体１００の横幅寸法とほぼ同じ長さに形成され、その長辺の両端縁のうち下方長辺端縁が後方に向って折曲した下折曲突片１７８となっており、上方長辺端縁の両側部が後方に向って折曲した上折曲突片１７９となっているものの、その両側部の上折曲突片１７９に挟まれる部分が垂直方向に延設される垂直折曲突片１８０となっている。下折曲突片１７８の突出量はあまり大きくなく、この下折曲突片１７８が溝部や凹部と係合して凹凸係合をなすものではなく、強度を高めるために形成されているのに対し、両側部の上折曲突片１７９の突出量は下折曲突片１７８の突出量よりもやや大きく下方からの不正具の侵入を多少防止するが、むしろ、本実施形態における下側補強板金１６４の構成で最も特徴的な構成は、垂直折曲突片１８０である。この垂直折曲突片１８０は、その上端縁形状が後述するガラスユニット１９０のユニット枠１９１の下端形状に合致するように凹状に形成され、ガラスユニット１９０を扉枠５の裏面側に固定したときに、垂直折曲突片１８０の上端片がガラスユニット１９０のユニット枠１９１の幅方向のほぼ中央の外周に沿って形成される係合溝２００に係合するようになっている（図１０参照）。この構造については、ガラスユニット１９０の欄で説明する。なお、下側補強板金１６４には、扉枠本体１００に形成される賞球通過口１０３の底面を除く外周を保護する賞球通過口被覆部１７７が形成されている。
【００６８】
<ガラスユニット>
次に、扉枠５の裏面に取り付けられる透明板ユニットとしてのガラスユニット１９０について、図２３〜図２５及び図２７〜図２９を参照して説明する。ガラスユニット１９０は、図２３に示すように、遊技窓１０１よりも大きな開口を有する合成樹脂で成型した環状の縦長八角形状のユニット枠１９１と、該ユニット枠１９１の開口の外周前後面に２枚の透明板としてのガラス板２０１（ガラス板でなくても透明な合成樹脂板でもよい。）を接着することにより構成されるものである。まず、ユニット枠１９１について詳細に説明すると、図２３に示すように、ユニット枠１９１の斜め上部左右には、止め片１９４が環状の外側に向かって突設形成され、下部左右には、掛止突片１９５が環状の外側に向かって突設形成されている。この止め片１９４と掛止突片１９５とは、前述したように、ガラスユニット１９０を扉枠５の裏面に取り付けるためのものである。また、ユニット枠１９１の外周前後面部には、図２５に示すように、ガラス板２０１を嵌め込むためのガラス当接段部１９６が周設されており、このガラス当接段部１９６にガラス板２０１を接着剤（ホットメルト系接着剤）で接着したときに、ユニット枠１９１の幅寸法内に２枚のガラス板２０１が収納された状態となる。更に、ユニット枠１９１には、図２４及び図２５に示すように、内部に乾燥剤１９７を封入する乾燥剤封入空間部１９３がユニット枠１９１の内周面と連通するようにその一側下部側方に環状の外部に突出するように形成され、その乾燥剤封入空間部１９３を閉塞するために多数の通気孔が形成された開閉蓋１９８がユニット枠１９１の内周面に係止爪１９８ａによって着脱自在に取り付けられるようになっている。なお、乾燥剤封入空間部１９３は、環状のユニット枠１９１の上下左右部を除く斜め左右上下部のいずれかの部位に環状の外部に突出するように形成すればよい。
【００６９】
しかして、ガラスユニット１９０を組み付けるには、ユニット枠１９１の乾燥剤封入空間部１９３に乾燥剤１９７を封入し、その後、乾燥剤封入空間部１９３を閉塞するために開閉蓋１９８をユニット枠１９１の内周面側から挿入して係止爪１９８ａを係止させ、さらにユニット枠１９１の両面からガラス板２０１をガラス当接段部１９６に収納当接するように接着剤で接着する。これにより、２枚のガラス板２０１を一体化したガラスユニット１９０を簡単に組み付けることができる。そして、上記のように組み付けられたガラスユニット１９０を扉枠５に取り付けるには、ガラスユニット１９０の掛止突片１９５を扉枠５の係合受片１０９に上方から掛け止めた後、ガラスユニット１９０の止め片１９４に対し扉枠５の止めレバー１０８を閉止位置に回動して止め片１９４の裏面を押圧する。これによって、ガラスユニット１９０を扉枠５の裏面に簡単に取り付けることができる。逆に、ガラスユニット１９０を取り外す場合には、止めレバー１０８を開放位置に回動させた後、ガラスユニット１９０全体を上方に持ち上げるようにすることにより、掛止突片１９５を係合受片１０９から外してガラスユニット１９０を扉枠５から簡単に取り外すことができる。
【００７０】
また、本実施形態におけるガラスユニット１９０には、２つの大きな構成を有している。第１番目に、ユニット枠１９１の後端面の前記止め片１９４の上部であってスピーカ１４４ａ，１４４ｂの側方位置と、軸支側の中間位置に外側に向って突設される防犯用突出板部１９９をユニット枠１９１と一体的に形成した構造を採用した点であり、第２番目に、ユニット枠１９１の外周面の中央に係合溝２００を周設した構造を採用した点である。
【００７１】
まず、第１番目の防犯用突出板部１９９について説明すると、図２３に示すように、左右のスピーカ１４４ａ，１４４ｂの側方位置に突設される防犯用突出板部１９９は、スピーカ１４４ａ，１４４ｂの円柱状のヨーク部の外周の一部と密接するように各スピーカ１４４ａ，１４４ｂの側方を閉塞するものである。このため、図２７（Ａ）に示すように、例えば、極めて小径の孔が多数穿設形成されたパンチングメタルで構成されるスピーカ１４４ｂの網目状カバー１４７ｂ（図２７（Ａ）に示す網目は模式図的に表したもので、実際には、１ｍｍ前後の小孔で形成されている。）の前方からピアノ線等の針金状の不正具を差し込んで、図２７（Ｂ）に示すように、スピーカコーン１４５ｂにも不正穴１５０を穿設した場合において、仮に防犯用突出板部１９９がユニット枠１９１と一体的に形成されていない構造であると、図２９（Ａ）に示すように、不正穴１５０からスピーカ１４４ｂの裏面に不正具を導き、さらにガラスユニット１９０の裏面側である遊技盤４の表面まで不正具を到達させることが可能となってしまう。これに対し、本実施形態のように防犯用突出板部１９９がユニット枠１９１と一体的に形成されている構造であると、図２９（Ｂ）に示すように、スピーカコーン１４５ｂに穿設された不正穴１５０の先が防犯用突出板部１９９によって閉塞されているため、不正具をガラスユニット１９０の裏面側である遊技盤４の表面まで到達させることができない。この場合、防犯用突出板部１９９によってスピーカ１４４ｂ周りの一部しか閉塞していないので、閉塞されていない上部や開放端部から不正具を侵入させる可能性もなくはないが、それらの位置は遊技盤４の表面から離れた位置であるため、遊技盤４の表面に到達させることはほとんど不可能である。したがって、本実施形態におけるガラスユニット１９０においては、不正行為が行われる可能性のある上部左右のスピーカからの不正具の侵入をも防止する構造を採用している。なお、上記の説明では一方のスピーカ１４４ｂについて説明したが、他方のスピーカ１４４ａについても同じことが言える。
【００７２】
また、軸支側の中間位置に外側に向って突設される防犯用突出板部１９９は、図６４に示すように、扉枠５を閉じた状態で遊技盤４の軸支側に位置する遊技板飾り枠１１の前面を覆うようになる。これは、前述したように軸支側の補強板金１６２による防犯構造が他の辺と異なり二重構造にし難く又は最も不正行為を行い難い辺であることに鑑み、全体として手薄な防犯構造となっているが、反面その構造に着目して不正行為をなされる可能性もある。そこで、軸支側の中間位置に防犯用突出板部１９９を突設させて遊技板飾り枠１１の前面を覆うことにより、図６４に示すように、軸支側Ｌ字状折曲突片１６７と軸支辺部４９との隙間を無理やり侵入してきた不正具を遊技板飾り枠１１から遊技盤４の表面に到達させないように遊技板飾り枠１１の前面を覆うようにしたものである。これにより、軸支側の防犯機能の向上を図ることができる。なお、軸支側の中間部より下方の防犯機能を向上させる構造は、後述する防犯カバー２１０及び装着台２２０によって図られている。
【００７３】
次に、第２番目のユニット枠１９１の外周面の中央に周設した係合溝２００について説明する。係合溝２００は、図２５に示すように、ユニット枠１９１の外周面の中央全周（下方部の係合溝２００については、図１０参照）に周設されている。そして、この係合溝２００の深さは、図１０に示すように、ガラス板２０１が収納される当接段部１９６よりも内周側となるような深さとなっている。つまり、ガラスユニット１９０を扉枠５に装着したときに、ユニット枠１９１の底辺部分の係合溝２００に下側補強板金１６４の垂直折曲突片１８０の上部が進入するものであるが、その垂直折曲突片１８０の上端部分とガラス板２０１の下端部分とが前方から見て重複するような位置関係を有するように係合溝２００の深さを形成している。これによって、例えば、皿ユニット３００の上端部に熱した棒状金属を押し当てて合成樹脂製のユニット枠３０１、扉枠本体１００、及びユニット枠１９１に穴をあけるという不正行為に対し、ユニット枠１９１部分において、熱に強いガラス板２０１と垂直折曲突片１８０とが重複しているので、穴をあけることができず、扉枠５の前面からの穴あけ不正行為を防止することができる。なお、この意味で、係合溝２００は、ユニット枠１９１の下辺部に沿って形成されておれば充分であり、全周に形成する必要はない。
【００７４】
<防犯カバー>
次に、上記したガラスユニット１９０の下部裏面を被覆して遊技盤４への不正具の侵入を防ぐ防犯機能が付与された防犯カバー２１０について、主として図８、図２３、及び図２６を参照して説明する。防犯カバー２１０は、図８及び図２６（Ｂ）に示すように、透明な合成樹脂によって左右の補強板金１６２，１６３の間のガラスユニット１９０の下方部を覆うような平板状に形成され、その上辺部が遊技盤４の内レールユニット１２の下方円弧面に沿った円弧状の当接凹部２１１として形成されていると共に、その当接凹部２１１に沿って後方に向って防犯後突片２１４が突設されている。また、防犯カバー２１０を取り付けた状態で軸支側裏面には、防犯後端部突片２１５が斜め状に突設形成されている。一方、防犯カバー２１０の前面には、図２６（Ａ）に示すように、防犯カバー２１０を取り付けた状態で前記ガラスユニット１９０のユニット枠１９１の下方形状に沿った防犯前突片２１２が突設されると共に、下部両端にＵ字状に形成される装着弾性片２１３が前方に向けて突設形成されている。
【００７５】
上記のように構成される防犯カバー２１０は、装着弾性片２１３を扉枠本体１００に形成される装着開口部１１０に装着することにより、扉枠５の裏面側に着脱自在に取り付けられる。そして、取り付けた状態では、図１０に示すように、防犯前突片２１２がガラスユニット１９０のユニット枠１９１の後方下片面と対面するようになっている。また、防犯前突片２１２の前端は、垂直折曲突片１８０と当接している。また、防犯後突片２１４及び防犯後端部突片２１５は、後方へ突出した状態となっているが、扉枠５を閉じたときに、防犯後突片２１４の軸支側の半分は、図６６に示すように、遊技盤４に固定される内レールユニット１２の下側面に進入して対面した状態となるが、防犯後突片２１４の開放側の半分は、図６３及び図６７に示すように、遊技板飾り枠１１の内レールユニット１２に形成されたレール防犯溝１４に挿入された状態となり、また、防犯後端部突片２１５は、図６６に示すように、本体枠３の軸支側に形成される前記防犯突起１５の上面に沿って重合状の位置となる。
【００７６】
しかして、防犯カバー２１０を取り付けて扉枠５を閉じた状態においては、前述した扉枠突片１１２と係合溝４２，４３とによる防犯構造、及び防犯突片２２５と防犯空間４５とによる防犯構造に加えて、ガラスユニット１９０の下方から不正具を侵入させようとしても、防犯前突片２１２とユニット枠１９１との重合により、防犯カバー２１０の前面下方方向からの不正具の侵入が防止され、防犯後突片２１４と遊技板飾り枠１１を構成する内レールユニット１２との重合により、防犯カバー２１０の後面下方方向からの不正具の侵入が防止される。特に、扉枠５の軸支側の斜め下方からの不正具の侵入に対しては、防犯突起１５と防犯後端部突片２１５との重合構造によって外レールユニット２２への不正具の侵入が阻止され、さらに内レールユニット１２と防犯後突片２１４との重合構造によって遊技盤４の遊技領域２０への不正具の侵入を阻止することができる。同様に、扉枠５の開放側の斜め下方からの不正具の侵入に対しては、前述した開放側補強板金１６３の二重の折曲突片１７３，１７４による防犯構造に加えて、レール防犯溝１４と防犯後突片２１４との凹凸係合によりさらに遊技盤４の遊技領域２０への不正具の侵入を阻止することができる。なお、防犯カバー２１０の裏面側の防犯後突片２１４と防犯後端部突片２１５との間の垂直面は、図６６に示すように、扉枠５を閉じた状態で外レールユニット２２と内レールユニット１２とで形成される打球の誘導通路の前面下方部分を覆うものであるため、当該誘導通路部分を飛送若しくは逆送する打球のガラス板２０１への衝突を防止する機能も有している。
【００７７】
<装着台>
装着台２２０は、図８、図１６、及び図１７に示すように、扉枠本体１００の板部裏面の上半分を覆うように取り付けられるものであり、防犯カバー２１０と同様に透明な合成樹脂によって前方が開放した横長直方体状に形成されるものである。この装着台２２０は、発射レール３８から発射された球をスムーズに遊技盤４に導くために、扉枠５を閉めたときに装着台２２０の後面と板部３２とによって発射レール３８を挟持するように形成されるものであり、このため、装着台２２０の後面に球飛送誘導面２２７が形成されている。ところで、本実施形態に係る装着台２２０には、その軸支側上部に下側補強板金１６４に形成される賞球通過口被覆部の後方突出部を貫通させる賞球通過口用開口２２１が形成され、その開放側下部に球送りユニット２２６を取り付ける球送りユニット取付凹部２２２が形成されている。この球送りユニット取付凹部２２２から斜め方向の領域が前記球飛送誘導面２２７となっている。また、球送りユニット取付凹部２２２に取り付けられる球送りユニット２２６は、発射装置５７の打球杆の往復動差に対応して揺動する球送り部材が設けられ、この球送り部材の揺動動作によって皿ユニット３００の誘導通路部３６２（図３８参照）の流下端にある球を発射レール３８の発射位置に１個ずつ供給するものである。また、装着台２２０の中程下部に後述する側面開口蓋３８３（図３８参照）を取り外す際に指を入れることができる蓋用開口２２３が形成されている。更に、装着台２２０の上辺の一部に垂直に立設される立壁２２４が形成されている。この立壁２２４は、図８に示すように、前記防犯カバー２１０を取り付けたときに、該防犯カバー２１０の前面と当接して防犯カバー２１０の下部が前方に移動しないように規制するためのものである。
【００７８】
更に、本実施形態に係る装着台２２０の特徴は、上述した球飛送誘導面２２７の下方から前記賞球通過口用開口２２１にかけて斜め状に防犯突起２２５が後方に向って突設される構造である。この防犯突起２２５は、前述したように、本体枠３の板部３２に形成される防犯空間４５との間で、扉枠５と本体枠３との下側辺部における内側の突条及び係合部を構成するものである。
【００７９】
<スライドユニット>
扉枠本体１００のスライドユニット装着凹部１０７に装着されるスライドユニット２３０は、皿ユニット３００に固定されるハンドルユニット３１８の回動軸後端に固定される係合カム３１９（図３８参照）と係合して回転軸の回転運動をスライド運動に変換するスライド部材を有し、そのスライド部材と一体的に形成されるスライド係脱片２３１（図１７参照）が後方に向って突設されている。このスライド係脱片２３１は、扉枠５を閉じたときに、ハンドル連結窓４０ａに挿入されるようになっている。そして、ハンドルユニット３１８の回動軸が回転操作されると、スライド係脱片２３１がスライド移動することにより発射装置５７の弾発力の強弱を調節することができるようになっている。また、扉枠５を開放したときには、スライド係脱片２３１がハンドル連結窓４０ａから外れるようになっている。
【００８０】
<枠装飾中継基板>
上記した装着台２２０の下部の軸支側には、図８及び図１６に示すように、枠装飾中継基板２４０が取り付けられ、その枠装飾中継基板２４０の後面を覆う中継基板カバー２４１が取り付けられている。この枠装飾中継基板２４０は、扉枠５に設けられる電飾部品や電気部品（冷陰極管１３２，１３４ａ，１３４ｂ、ＬＥＤ基板１３７，１３８ａ，１３８ｂ，３０８、スピーカ１４４ａ，１４４ｂ，３４１ａ，３４１ｂ、ハンドルユニット３１８内に設けられるスイッチ、貸球ユニット３２４、操作ボタンユニット３２６等）からの配線が集約して接続され、その枠装飾中継基板２４０からの配線が本体枠３の裏面に取り付けられる基板ユニット５４に組み込まれる中継基板等を介して賞球払出基板ボックス５５の賞球払出基板や遊技盤４に取り付けられる遊技制御基板ボックス２５の遊技制御基板に接続されている。
【００８１】
<皿ユニット>
次に、図３３乃至図５８を参照して皿ユニット３００の構成について説明する。図３７及び図３８に示すように、皿ユニット３００は、大きく分けて外殻を構成するユニット枠３０１と、該ユニット枠３０１の内部空間に取り付けられる下部スピーカユニット３３０と、該下部スピーカユニット３３０の上部に配置され且つ前記ユニット枠３０１の上面に臨むように設けられる皿体３６０と、該皿体３６０に設けられる第２球抜き弁３７５の球抜き動作をするための第２球抜きリンクユニット４００（図４９参照）と、ユニット枠３０１の後面を閉塞する皿蓋板４３０と、から構成されている。そこで、まずユニット枠３０１について説明する。
【００８２】
図３３、図３４、図３７、及び図３８に示すように、ユニット枠３０１は、上面が手前側に向って緩やかに傾斜する平面視半楕円形状の上面カバー部３０２と、該上面カバー部３０２の手前側から連続して前面と底面とを構成する前面カバー部３０３と、が合成樹脂によって一体的に成形されている。上面カバー部３０２の奥側には、扉枠本体１００の前面側に当接する垂直カバー部３０２ａも一体的に形成されている。この垂直カバー部３０２ａには、その中央に貸球ボタンユニット用開口３２３が開設され、この貸球ボタンユニット用開口３２３に貸球ユニット３２４が裏面側から装着し得るようになっている。貸球ユニット３２４は、パチンコ遊技機１に隣接して球貸し機が設けられている場合に、貸出指令を導出するスイッチや貸出残表示器等が設けられるものである。
【００８３】
また、上面カバー部３０２の垂直カバー部３０２ａの立ち上がり部から前方に皿体上面開口部３０５が開設され、その前方中央に操作ボタンユニット用凹空間部３０６が形成され、該操作ボタンユニット用凹空間部３０６から左右の上面カバー部３０２の前端部に沿ってＬＥＤ装飾空間部３０７が穿設され、さらに皿体上面開口部３０５の側方に第１球抜ボタン３１３を取り付けるための第１球抜ボタン用開口３１３ａが設けられている。上記した皿体上面開口部３０５には、後述する皿体３６０の貯留部３６１及びこれに連通する誘導通路部３６２の上面開口と同一形状に形成され、ユニット枠３０１に皿体３６０を取り付けたときに、皿体上面開口部３０５に皿体３６０の貯留部３６１及び誘導通路部３６２が臨むようになっている。なお、皿体３６０については後に詳述する。
【００８４】
上記した操作ボタンユニット用凹空間部３０６には、空間部形成部材３１０が取り付けられ、該空間部形成部材３１０に操作ボタンユニット３２６が装着されるようになっている。空間部形成部材３１０には、操作ボタンユニット３２６の係合突片３２９（図５３参照）を係合するための係合穴３１２と、操作ボタンユニット３２６の固定ネジ穴３２８（図５３参照）を止着するためのネジ止め部３１１と、さらに操作ボタンユニット３２６を空間部形成部材３１０内に差し込んだときに操作ボタンユニット３２６の底面に設けられるコネクタ３２６ａ（図５３参照）と接続される配線のコネクタ３１０ａを収納する配線収納開口３１０ｂが形成されている。しかして、操作ボタンユニット３２６を空間部形成部材３１０に取り付けるためには、コネクタ３１０ａが設けられる配線を引き出して操作ボタンユニット３２６のコネクタ３２６ａと接続した後、操作ボタンユニット３２６を空間部内に挿入しつつ係合突片３２９と係合穴３１２とを係合させ且つ相互のコネクタ３２６ａ，３１０ａを配線収納開口３１０ｂに収納した後、図３６に示すように、前面カバー部３０３の底面部に形成される締具挿入穴３２５からネジ３５１をドライバー工具３５２によって差し込み当該ネジ３５１をネジ止め部３１１及び固定ネジ穴３２８に螺着することにより取り外しできないように固定する。また、操作ボタンユニット３２６を取り外す場合には、上記と逆の順序によって行うことができる。このように操作ボタンユニット３２６を固定するためのネジ止め部を表面ではなく内部に設けたので、簡単に取り外すことができず、結果的に操作ボタンユニット３２６を取り外して操作ボタンユニット用凹空間部３０６を利用した不正な行為を防止することができる。なお、操作ボタンユニット３２６は、複数（図示の場合は３個）の操作ボタン３２７を有して構成されているが、この複数の操作ボタン３２７は、遊技盤４に設けられる液晶表示器等で行われる遊技内容に遊技者が参加する際に操作されるものである。
【００８５】
また、ＬＥＤ装飾空間部３０７には、前述したようにレンズカバー３０９がその表面を覆っている（図１０参照）が、そのＬＥＤ装飾空間部３０７の底面部を構成するようにレンズカバー３０９の下方にＬＥＤ基板３０８が設けられている。レンズカバー３０９とＬＥＤ基板３０８との距離は、前述した冷陰極管１３２，１３４ａ，１３４ｂとそれに対応するレンズカバー１４０との間の距離よりも長く設定されており、ＬＥＤ基板３０８上に所定間隔離れて点在するＬＥＤが点灯した場合であっても、レンズカバー３０９まで充分な距離があるため、レンズカバー３０９における光装飾は、レンズカバー３０９が連続してほぼ均一に照明されているように視認できるものである。なお、レンズカバー３０９と前記空間部形成部材３１０とは、ユニット枠３０１を構成する合成樹脂の色彩（例えば、白色）とは異なる色彩（例えば、赤色）で形成されており、皿ユニット３００の上面カバー部３０２の前端縁に沿って地色とは異なる色彩のラインが設けられているものとして視認できるようになっている。
【００８６】
更に、第１球抜ボタン３１３は、図４４乃至図４７（ユニット枠３０１の表示を省略している。）に示すように、上面カバー部３０２の第１球抜ボタン用開口３１３ａに装着された摺動支持部材３１４を介して上面カバー部３０２に取り付けられるものであり、その摺動支持部材３１４内を上下方向に摺動するようになっている。そして、図４５に示すように、第１球抜ボタン３１３が遊技者によって押圧操作されると、該第１球抜ボタン３１３の下方に位置する回動部材３６６が回動軸３６７を中心にして時計回転方向に回動し、その回動部材３６６の下端に連携されるスライド弁３６５が移動する。スライド弁３６５は、常にはバネ３６９により付勢されて皿体３６０の誘導通路部３６２の下流端部を閉塞した位置にあるが、上記のように第１球抜ボタン３１３の操作により移動したときには、誘導通路部３６２から退避し、誘導通路部３６２と該誘導通路部３６２の下流側に連続する第１球抜通路部３６４とを連通させる。これにより皿体３６０の貯留部３６１及び誘導通路部３６２に貯留されていた球を皿体３６０から球抜きすることができる。この構造については、皿体３６０の説明の際にさらに詳述する。
【００８７】
次に、ユニット枠３０１の前面カバー部３０３の構成について説明すると、図３３、図３７及び図３８に示すように、前面カバー部３０３は、上記したように上面カバー部３０２の手前側から連続して前面と底面とを構成するように構成されているため、前面カバー部３０３の前面部分は、中央部分が最も前方に突出し左右に離れるほど奥側に傾斜している。しかして、前面カバー部３０３の前面部分の中央突出部の左右には、スピーカ用開口３１５ａ，３１５ｂが開設され、そのスピーカ用開口３１５ａ，３１５ｂが網目状のスピーカカバー３１６ａ，３１６ｂ（パンチングメタルで構成されている。）によって被覆されている。そして、スピーカカバー３１６ａ，３１６ｂの後方には、後述する下部スピーカユニット３３０に収納固定される２つのスピーカ３４１ａ，３４１ｂが位置することになる。なお、スピーカ用開口３１５ａ，３１５ｂは、前面カバー部３０３の前面中央の突出部から奥側に向って傾斜する傾斜状面に形成されるものであるから、正面から見た場合に、パチンコ遊技機１の中心縦ラインから外側に向って開放していることになる。そして、前面カバー部３０３の前面中央の突出部からスピーカ用開口３１５ａ，３１５ｂの上部及び下部の開口縁までを縁取るように前面装飾板３０４が取り付けられている。
【００８８】
また、前面カバー部３０３の開放側端部下方にハンドルユニット３１８を取り付けるためのハンドル取付穴３１７が開設されている。ハンドルユニット３１８は、周知のように、打球の弾発力を調節するためのものであり、このため遊技者が操作し得る回動操作部材３１８ａが設けられ、その回動操作部材３１８ａを回動操作することにより、回動軸の後端に固定される係合カム３１９が回動する。そして、前述したように、係合カム３１９の回動運動をスライドユニット２３０のスライド係脱片２３１のスライド移動運動に変換することにより発射装置５７の弾発力の強弱を調節することができるようになっている。
【００８９】
更に、図３３に示すように、前面カバー部３０３の中央下部には、第２球抜リンクユニット４００の一部を構成する第２球抜ボタン４０１を臨ませるための第２球抜ボタン用開口３２０が開設されている。この第２球抜ボタン用開口３２０には、図３５に示すようにその内部に周壁３２０ａが形成されるが、この周壁３２０ａが単に筒状となっているだけではなく後端部が内側に折曲された状態で貫通しており、この折曲周壁３２０ａが第２球抜ボタン４０１部分からの不正具の侵入を防止する構造となっている。なお、折曲周壁３２０ａの上部であって前面カバー部３０３の裏面には、第２球抜リンクユニット４００の一部を構成する押圧揺動部材４０３の揺動軸４０４（図５０参照）を軸支する軸受支持片３２１（図５４参照）が突設されている。また、前面カバー部３０３の底面中央には、前記第１球抜ボタン３１３及び第２球抜ボタン４０１を操作したときに球抜きされた球を皿ユニット３００の外部に排出するための球排出口３２２が形成され、その球排出口３２２の斜め前方に前記操作ボタンユニット３２６を取り付けるための締具挿入穴３２５が形成されている。なお、本実施形態において、第１球抜ボタン３１３と第２球抜ボタン４０１の２つの球抜ボタン３１３，４０１を設けたのは、第１球抜ボタン３１３の操作によって、皿体３６０の貯留部３６１及び誘導通路部３６２に貯留されているすべての球を球抜きすることができるものの、その球抜動作は、誘導通路部３６２で一列状に整列された球を球抜するために多少時間がかかるのに対し、第２球抜ボタン４０１の操作によって、皿体３６０の貯留部３６１から上流側の球を径の大きな第２球抜開口３８８から素早く球抜することができるため、球抜時間を短くすることができる。このため、遊技者が球抜きにかける時間の長短を選択することができるものである。また、遊技中に大当りとなった場合に皿ユニット３００に大量の球が払出されることになり、これを放置して遊技を継続すると皿ユニット３００の上流側に設けられる満タンスイッチが機能して払出動作が停止されたり弾発動作が停止されて大当り中であるにもかかわらず遊技が継続できなくなるおそれがあり、このような場合に、第２球抜ボタン４０１の操作を行うことにより、皿ユニット３００に貯留されつつある球を球抜すると同時に発射位置への球の供給を維持して大当り中の遊技を継続することができるようになっている。
【００９０】
以上説明したユニット枠３０１の内部に取り付けられる下部スピーカユニット３３０について主として図３９乃至図４３を参照して説明する。図４１及び図４２に示すように、下部スピーカユニット３３０は、スピーカボックス本体３３１と、該スピーカボックス本体３３１の内部に固定される左右のスピーカ３４１ａ，３４１ｂと、該スピーカ３４１ａ，３４１ｂを取り付けるためのスピーカ取付部材３４２ａ，３４２ｂと、それぞれのスピーカ３４１ａ，３４１ｂの裏面側でスピーカボックス３３１の裏面を閉塞するスピーカ蓋板３４４ａ，３４４ｂと、から構成されている。
【００９１】
スピーカボックス本体３３１は、図３９（Ｂ），（Ｃ）に示すように、左右２つのスピーカ３４１ａ，３４１ｂを収納固定するためのエンクロージャ空間３３２ａ，３３２ｂ（図４２参照）が離れて合成樹脂によって形成され、そのエンクロージャ空間３３２ａ，３３２ｂの間には、所定幅の球抜通路前樋３３７が一体的に形成されている。球抜通路前樋３３７の途中には、誘導樋３３８が後方に向って突設され、後述する皿蓋体４３０に形成される球抜通路後樋４３３との間で前記球排出口３２２に連通する球抜通路を構成している。なお、球抜通路前樋３３７の上部及び側方には、皿蓋体４３０を取り付けるための取付ボス３３９が後方に向って突設されている。また、エンクロージャ空間３３２ａ，３３２ｂの前方部分は、平面視が円弧状で且つ正面視で前方に突出した三角形状の突出空間となっており、その突出空間にスピーカ開口３３３ａ，３３３ｂが開設されている。このスピーカ開口３３３ａ，３３３ｂには、スピーカ３４１ａ，３４１ｂの振動板としてのスピーカコーンが臨むようになっている。また、三角形状の突出空間には、スピーカ開口３３３ａ，３３３ｂの外側にスピーカダクト３３４ａ，３３４ｂが形成されている。このスピーカダクト３３４ａ，３３４ｂは、図４２に示すように、後方に向って筒状に形成され、その後端口が図４３に示す取付蓋体３４４ａ，３４４ｂの前面側に一体的に形成されるスピーカダクト３４７ａ，３４７ｂの接続口３４９ａ，３４９ｂに接続されるようになっている。
【００９２】
また、エンクロージャ空間３３２ａ，３３２ｂの内部には、スピーカ開口３３３ａ，３３３ｂの周囲に複数（図示の場合は３個）の取付ボス３３５が適宜間隔をおいて取り付けられ、その取付ボス３３５にスピーカ３４１ａ，３４１ｂが環状のスピーカ取付部材３４２ａ，３４２ｂによって取り付けられている。具体的には、スピーカ３４１ａ，３４１ｂの円筒状のヨーク部を貫通してコーン支持部に嵌合するスピーカ取付部材３４２ａ，３４２ｂの環状部に取付片部３４３が外側に突設され、その取付片部３４３を取付ボス３３５に一致させて図示しないビスで止着することによりスピーカ３４１ａ，３４１ｂを取り付けることができる。この場合、スピーカ３４１ａ，３４１ｂのスピーカコーンの向きは、斜め状に形成されるスピーカ開口３３３ａ，３３３ｂと平行な外側に向いた状態に取り付けられている。なお、スピーカボックス本体３３１の両端上下には、下部スピーカユニット３３０をユニット枠３０１に取り付けるための取付片３４０が外側に向って突設されている。
【００９３】
上記のしたようにスピーカ３４１ａ，３４１ｂを取り付けた状態でスピーカボックス本体３３１の裏面には、スピーカ蓋板３４４ａ，３４４ｂが取り付けられる。即ち、スピーカ蓋板３４４ａ，３４４ｂは、平板状に形成され、それぞれの前面に角筒状のスピーカダクト３４７ａ，３４７ｂが形成されている。このスピーカダクト３４７ａ，３４７ｂは、図４１に示すように、取付蓋体３４４ａ，３４４ｂの中程から底辺に沿って外側に向って横方向に形成され、その端部から上方に向って直角状に曲折されており、その上端前面に円形状の接続口３４９ａ，３４９ｂが穿設形成されている。また、このスピーカダクト３４７ａ，３４７ｂの下辺の横向きの部分の底面及び内側面が開放された状態となっているが、スピーカ蓋板３４４ａ，３４４ｂをスピーカボックス本体３３１に取り付けた状態で横向き部分の底面がエンクロージャ空間３３２ａ，３３２ｂを構成するスピーカボックス本体３３１の内周面によって閉塞されるため、下辺の横向き部分の内側面がダクト入口３４８ａ，３４８ｂとなる。したがって、スピーカ蓋板３４４ａ，３４４ｂをスピーカボックス本体３３１に取り付けた状態では、図４３（Ｂ）に示すように（この図では一方のスピーカダクト３３４ｂ、３４７ｂについて説明しているが、他方のスピーカダクト３３４ａ、３４７ａについても同じである。）、ダクト入口３４８ｂがエンクロージャ空間３３２ｂと連通し、そのダクト入口３４８ｂが筒状のスピーカダクト３４７ｂ，３３４ｂを介して外部と連通した状態となる。このため本実施形態における下部スピーカユニット３３０は、エンクロージャ空間３３２ａ，３３２ｂ内に形成されたスピーカダクト３３４ｂ，３４７ｂによりバスレフ方式のスピーカシステムとすることができ、優れた低音域の音を明瞭に外部に向けて発生することができる。なお、低音域の音は、高音域の音に比べて指向性が低いため、本実施形態のようにスピーカ３４１ａ，３４１ｂのスピーカコーンが外側を向いていても音の聞き取り度合いに悪影響を及ぼすことは少ない。
【００９４】
また、本実施形態におけるスピーカ蓋板３４４ａ，３４４ｂには、それぞれの上部に凹部３４５，３４６が形成されている。正面から向って左側のスピーカ蓋板３４４ａに形成される凹部３４５は、下部スピーカユニット３３０の上部に次に説明する皿体３６０の第２球抜通路部３７４が位置するため、第２球抜通路部３７４を転動する球の振動により発生音に悪影響を及ぼさないように第２球抜通路部３７４との接触を避けるために形成される皿体逃げ凹部３４５であり、正面から向って右側のスピーカ蓋体３４４ｂに形成される凹部３４６は、皿体３６０の影響を僅かに受けるものの、むしろ左右のエンクロージャ空間３３２ａ，３３２ｂの空間容積を一致させるために形成される調整凹部３４６となっている。つまり、左側のエンクロージャ空間３３２ａが皿体逃げ凹部３４５の影響により小さくなっているが、そのエンクロージャ空間３３２ａの空間容積と右側のエンクロージャ空間３３２ｂの空間容積とを一致させるために調整凹部３４６が形成されるものである。このように、左右のエンクロージャ空間３３２ａ，３３２ｂの空間容積を一致させることにより、左右のスピーカ３４１ａ，３４１ｂからバランスのとれた同質の音を発生することができる。なお、スピーカ蓋板３４４ａ，３４４ｂは、隅角部に形成される取付穴３５０をスピーカボックス本体３３１に形成される取付部３３６（図４２参照）に一致させて図示しないビスを螺着することによりスピーカボックス本体３３１に固定することができる。また、本実施形態においては、皿体逃げ凹部３４５と調整凹部３４６とをスピーカ蓋板３４４ａ，３４４ｂに形成したものを示したが、これらの凹部３４５，３４６をスピーカボックス本体３３１に形成しても良い。
【００９５】
また、上記のように組付け構成される下部スピーカユニット３３０をユニット枠３０１に取り付けるには、スピーカボックス本体３３１の四隅に突設される取付片３４０をユニット枠３０１の内部裏面に形成される取付ボス（図示しない）に取り付けることによりユニット枠３０１に組み付けられるが、この組み付けた状態においては、図９に示すように、スピーカ３４１ａ，３４１ｂのスピーカコーンが外側に向いているのに対し、エンクロージャ空間３３２ａ，３３２ｂの後壁を構成するスピーカ蓋板３４４ａ，３４４ｂが正面を向いている。つまり、スピーカ３４１ａ，３４１ｂのスピーカコーンに対してエンクロージャ空間３３２ａ，３３２ｂを構成する後壁が平行状ではなく斜めに対向する位置となっている。このように配置することにより、スピーカ３４１ａ，３４１ｂのスピーカコーンの後方に発生する音波を壁面で乱反射させ易くして、スピーカも正面に向けられ且つスピーカのスピーカコーンと後壁とが平行状に配置された場合に発生しやすい定在波の発生を抑制し、特定の周波数の音が強調されたり弱められたりしてしまうことを防止している。また、スピーカ３４１ａ，３４１ｂをエンクロージャ空間３３２ａ，３３２ｂ内に斜めに配置することにより、限られたユニット枠３０１の内部空間内に比較的寸法の大きなスピーカ３４１ａ，３４１ｂ（一般的にスピーカユニットと言われている。）を配置することができる。更に、本実施形態における皿ユニット３００は、扉枠５に一つだけ設けられているため、従来の上皿と下皿とに分けて設けられたパチンコ遊技機と比較して皿ユニット３００の外殻を構成するユニット枠３０１の内部空間を極めて大きく形成することができ、その大きなユニット枠３０１の内部空間に、左右一対のスピーカ３４１ａ，３４１ｂを別々に内蔵する左右のエンクロージャ空間３３２ａ，３３２ｂが形成された下部スピーカユニット３３０が内蔵され、しかもそのエンクロージャ空間３３２ａ，３３２ｂを形成する際に、皿ユニット３００の内部空間において干渉し得る第２球抜通路部３７４を避けるように皿体逃げ凹部３４５を形成したので、エンクロージャ空間３３２ａ，３３２ｂが皿ユニット３００の内部空間で最大となるようにスピーカユニット３３０を構成することができる。そして、スピーカ３４１ａ，３４１ｂが収納固定され且つ内部にスピーカダクトが形成されるエンクロージャ空間３３２ａ，３３２ｂの容積を大きく形成することができるため、低音域の音を効果的に発生することができる。
【００９６】
次に、主として図４４乃至図４７を参照して皿体３６０について説明する。皿体３６０は、前述したようにユニット枠３０１の皿体上面開口部３０５に皿体３６０の上面が臨み、且つ上記した下部スピーカユニット３３０の上部に位置するように設けられるものである。そして、皿体３６０は、図４４に示すように、その上面一側に賞球ユニット５３から払いだされた球を貯留する半楕円形状の貯留部３６１が形成され、該貯留部３６１に連続して貯留された球を一列状に整列する誘導通路部３６２を有するように合成樹脂で一体的に成形される。誘導通路部３６２の下流端は、屈曲通路部３６３で屈曲されて誘導通路部３６２と逆方向に形成される第１球抜通路部３６４となっている。第１球抜通路部３６４は、皿体３６０のほぼ中程下方にその出口が形成され、その出口が後述する皿蓋体４３０の球抜通路後樋４３３の上誘導樋４３４のやや上部に臨んでいる。また、屈曲通路部３６３には、前述した第１球抜ボタン３１３によって作動されるスライド弁３６５が設けられている。このスライド弁３６５は、前述したように皿体３６０の他端側に回動軸３６７によって回動自在に軸支される回動部材３６６に連結されている。回動部材３６６には、回動部材３６６に形成されるバネ係止部３６８と皿体３６０に形成されるバネ係止部３６６との間に差し渡されるバネ３６９によって常にスライド弁３６５が屈曲通路部３６３を閉塞する方向に付勢されている。
【００９７】
また、上記した貯留部３６１から誘導通路部３６２の境目の底面が段差部３８９となっており、その段差部３８９の下流側に球の直径の約３倍の径寸法の半円形状の第２球抜開口３８８が形成され、その第２球抜開口３８８に第２球抜弁３７５が貯留部３６１の裏面から段差部３８９を利用して出没自在に設けられている。この第２球抜弁３７５は、図４８及び図５０に示すように、皿体３６０の裏面側に取り付けられる第２球抜ユニット３７１に一体的に組み込まれるものである。ここで第２球抜ユニット３７１について説明すると、第２球抜ユニット３７１は、上面が開放した断面コ字状の通路主体３７２と該通路主体３７２の上面を被覆する通路カバー体３７３とによって形成される断面ロ字状の第２球抜通路部３７４が皿体３６０の裏面に固定されていることにより構成されている。また、通路カバー体３７３の上流側であって該通路カバー体３７３と皿体３６０との間には、半円形状の第２球抜弁３７５の後端に一体的に連結される連結片３７６が通路カバー体３７３の上面に軸支される支軸３７７によって揺動自在に設けられている。連結片３７６の第２球抜弁寄りに形成されるバネ係止部３７９と通路カバー体３７３に形成されるバネ係止部３８１との間にバネ３８０が差し渡され、常に第２球抜弁３７５が第２球抜開口３８８を閉塞する方向に付勢している。なお、通路カバー体３７３には、皿体３６０の第２球抜開口３８８に対応する下方位置に半円形状の第２球抜連通口３９０（図５２参照）が形成されている。したがって、第２球抜弁３７５は、皿体３６０の第２球抜開口３８８と第２球抜連通口３９０との間を閉塞したり開放したりするものである。なお、連結片３７６の他端には係合ピン３７８が下向きに突設されている。そして、この係合ピン３７８が第２球抜ボタン４０１の球抜き動作を伝達する第２球抜リンクユニット４００の係合凹部４２２に係合するようになっている。
【００９８】
ところで、第２球抜ユニット３７１の通路主体３７２の奥側側壁に第２球抜通路部３７４と連通する長方形状の側壁開口３８２が開設され、該側壁開口３８２は、後述するように皿蓋体４３０の開口蓋取付窓４３２に着脱自在に取り付けられる視認窓３８４が形成された側面開口蓋３８３によって閉塞されるようになっている。なお、皿体３６０の一端部と他端部であって貯留部３６１の下方には、皿ユニット３００内に設けられる配線を整理するための配線処理用爪３８７が形成されている。なお、図４４〜図４７及び図５０に示す側面開口蓋３８３（二点鎖線で示す）は、該側面開口蓋３８３が皿蓋体４３０の開口蓋取付窓４３２に取り付けられた状態で側面開口３８２を閉塞している状態を想像線で示すものである。
【００９９】
上記のように構成される皿体３６０は、該皿体３６０に形成される取付部（図示しない）をユニット枠３０１の空間内部に突設される取付ボス（図示しない）に止着することにより、ユニット枠３０１に取り付けることができる。そして、皿体３６０をユニット枠３０１に取り付けた状態において、第１球抜通路部３６４と下部スピーカユニット３３０の調整凹部３４６との関係は、図４７に示すように、第１球抜通路部３６４の下面の一部が調整凹部３４６とほぼ接した状態となっているが、第２球抜通路部３７４と皿体逃げ凹部３４５との関係は、図４７及び図３４に示すように、接することなく空間が形成されている。これは、第２球抜通路部３７４による球抜き動作が大当り等の遊技の継続中であって下部スピーカユニット３３０による効果音が出力されている場合が多く、効果音が出力されている最中に第２球抜通路部３７４を転動する球の振動によって効果音が乱れたりしないようにする一方、第１球抜通路部３６４による球抜き動作が遊技終了時に行われて効果音が出力されていない場合が多いので、球抜き時による効果音への影響が少ないからという理由によるものである。もちろん、第１球抜通路部３６４による球抜き動作により球抜きされる球数が少ない場合が多いということも理由の一つである。なお、第１球抜通路部３６４と下部スピーカユニット３３０の調整凹部３４６とが接しないように構成しても良い。
【０１００】
次に、第２球抜弁３７５に第２球抜ボタン４０１の球抜き動作を伝達する第２球抜リンクユニット４００について図４８乃至図５２、及び図５４を参照して説明する。第２球抜リンクユニット４００は、第２球抜ボタン４０１と、該第２球抜ボタン４０１が係止されて揺動する押圧揺動部材４０３と、該押圧揺動部材４０３の押圧動作を前記第２球抜弁３７５の球抜き揺動動作として伝達するためにリンク部材取付板４０７に取り付けられる第１リンク４１４及び第２リンク４１９と、から構成されている。以下、第２球抜リンクユニット４００を構成する各部材について順次説明する。
【０１０１】
第２球抜ボタン４０１は、前述したように皿ユニット３００のユニット枠３０１の前面カバー部３０３の中央下部に開設される第２球抜ボタン用開口３２０に臨ませて取り付けられるものであるが、図５４（Ａ）に示すように、第２球抜ボタン４０１は、第２球抜ボタン用開口３２０の前方から差し込むようになっている。第２球抜ボタン４０１には、図５０に示すように当該第２球抜ボタン４０１の内部に後方に向って係止爪４０２が突設されており、この係止爪４０２がユニット枠３０１の裏面中央に形成される軸受支持片３２１（図５４（Ａ）参照）に軸支される押圧揺動部材４０３の下部筒部４０３ａに係合する。第２球抜ボタン４０１と押圧揺動部材４０３とが係合連結した状態は、図３５に示すように、第２球抜ボタン４０１の外周が第２球抜ボタン用開口３２０に周接し、第２球抜ボタン用開口３２０の折曲周壁３２０ａによって形成される開口に押圧揺動部材４０３の下部筒部４０３ａが周接するようになっている。このため、第２球抜ボタン４０１と第２球抜ボタン用開口３２０との隙間からピアノ線等の不正具を侵入させても、不正具の先端が折曲周壁３２０ａに当接してそれ以上内部に進めようとすれば、折曲周壁３２０ａによって形成される開口と押圧揺動部材４０３の下部筒部４０３ａとの間に不正具を通す技術が必要となり、極めて困難である。仮に折曲周壁３２０ａによって形成される開口と押圧揺動部材４０３の下部筒部４０３ａとの間を上手く通したとしても、図３５に示すように、その通した先が後に説明するリンク部材取付板４０７によって覆われているので、第２球抜ボタン４０１と第２球抜ボタン用開口３２０との隙間からピアノ線等の不正具を侵入させて皿ユニット３００の内部に到達させることは困難である。
【０１０２】
ところで、ユニット枠３０１の裏面中央に形成される軸受支持片３２１に軸支される押圧揺動部材４０３は、図５０に示すように、上端に水平状の揺動軸４０４が形成され、その揺動軸４０４から下方に板状部が垂下し、その板状部の下方に楕円形状の下部筒部４０３ａが形成されている。また、下部筒部４０３ａには、後方に向って押圧当接突片４０６が突設されている。
【０１０３】
上記したユニット枠３０１の裏面中央に形成される軸受支持片３２１（図５４（Ａ）参照）に軸支された押圧揺動部材４０３の後面を覆うように、第１リンク４１４及び第２リンク４１９を予め組み込んだリンク部材取付板４０７が取り付けられる。リンク部材取付板４０７は、図５１（Ａ）に示すように、方形状の合成樹脂製平板の裏面一側の上端から下端にかけて一対の間隔保持部在４０８が突設され、その間隔保持部在４０８の側方に垂直状に配置される第１リンク４１４の上下端を保持するための第１リンク上保持部４０９及び第２リンク下保持部４１０が一体的に突設されている。また、リンク部材取付板４０７には、前記第１リンク上保持部４０９の側方に水平状に配置される第２リンク１１９を軸支するための第２リンク軸支部４１１が突設されている。第１リンク上保持部４０９は、図５０に示すように、第１リンク４１４の上端部の左右及び上端を挟持するように突設され、第１リンク保持部４１０は、第１リンク４１４の下端部の左右及び下端を挟持するように突設されている。第２リンク軸支部４１１は、第２リンク４１９の中程より少しずれた位置に固定される軸ピン４２０の上端と下端とを挟持するように突設されている。なお、第２リンク軸支部４１１を横切るように逃げ用凹部４１３が凹設され、第２リンク４１９の揺動時における動作を邪魔しないようになっている。また、第１リンク下保持部４１０と間隔保持突片４０８との間には、第１リンク４１４の下端に固定される当接突片４１５に突設される当接突起４１６か貫通移動しえる当接用開口１４２が開設されている。
【０１０４】
上記したリンク部材取付板４０７の第１リンク上保持部４０９及び第１リンク下保持部４１０に保持される第１リンク４１４は、図５０及び図５１（Ｂ）に示すように、円柱棒状の下端にその一側に向って延設される当接突片４１５が嵌着され、上端にその他側に向って延設される係合突片４１７が嵌着されている。当接突片４１５には、図５２に示す当接突起４１６が前方に向って突設され、係合突片４１７には、係合ピン４１８が上方に向って突設されている。当接突起４１６は、前記リンク部材取付板４０７に開設された当接用開口４１２内に進退しえるものであり、前記押圧揺動部材４０３の押圧当接突片４０６と当接するものである。また、係合ピン４１８は、第２リンク４１９の一端部に形成される係合長穴４２１に係合するものである。
【０１０５】
一方、リンク部材取付板４０７の第２リンク軸支部４１１に軸支される第２リンク４１９は、図５０及び図５１（Ｂ）に示すように、水平棒状の一端部に第１リンク４１４の係合ピン４１８と係合する係合長穴４２１が形成され、他端部に後方が開放した箱状の係合凹部４２２が形成されている。この係合凹部４２２には、第２球抜弁３７５の連結片３７６の末端に形成された前記係合ピン３７８を受け入れて係合するようになっている。
【０１０６】
リンク部材取付板４０７の後面側の構成は上記した通りであるが、該リンク部材取付板４０７を皿ユニット３００の裏面側に取り付けたときには、リンク部材取付板４０７の前方に前記押圧揺動部材４０３が自由に揺動できる揺動空間が形成されている。
【０１０７】
しかして、上記した第２球抜ユニット３７１を有する皿体３６０及び第２球抜リンクユニット４００が皿ユニット３００のユニット枠３０１に取り付けられた状態において、通常の状態では、図５２（Ａ）に示すように、第２球抜弁３７５が第２球抜開口３８８と第２球抜連通口３９０との間に挿入されてその連通状態を閉塞するようにバネ３８０によって付勢されている。このとき連結片３７６の末端に突設される係合ピン３７８は時計回転方向に付勢された位置となっているので、この係合ピン３７８と係合する係合凹部４２２を有する第２リンク４１９は、軸支ピン４２０を中心として反時計回転方向に付勢された状態で停止している。すると、第２リンク４１９の他端に形成される係合凹部４２２と第１リンク４１４の係合ピン４１８との係合により、第１リンク４１４が時計回転方向に付勢されるので、第１リンク４１４の当接突片４１５の前方に突設される当接突起４１６がリンク部材取付板４０７に開設された当接用開口４１２から前方に進入し押圧揺動部材４０３の押圧当接突片４０６と当接して押圧揺動部材４０３の下端の下部筒部４０３ａａが前方に向って付勢された状態となっている。このとき、当然のことながら、押圧揺動部材４０３の下部筒部４０３ａａに係合固定されている第２球抜ボタン４０１も前方に向って付勢された状態となっている。
【０１０８】
これに対し、第２球抜ボタン４０１を後方に向って遊技者が押圧すると、図５２（Ｂ）に示すように、押圧揺動部材４０３の下部筒部４０３ａが後方に向って揺動されるので、押圧当接凸版４０６が当接突起４１６を押圧し第１リンク４１４を反時計回転方向に回動させる。すると第１リンク４１４の係合ピン４１８との係合により第２リンク４１９が時計回転方向に回動するので、係合凹部４２２が係合ピン３７８を押圧して連結片３７６をバネ３８０の付勢力に抗して反時計回転方向に回動させ、これによって第２球抜弁３７５が第２球抜連通口３９０の上面から退避し、皿体３６０に形成された第２球抜開口３８８と第２球抜連通口３９０とを連通させて皿体３６０の貯留部３６１に貯留された球を第２球抜ユニット３７１に形成される第２球抜通路部３７４に導く。第２球抜通路部３７４に導かれた球は、次に説明する皿蓋板４３０の前面側に形成される球抜通路後樋４３３の上誘導樋４３４のやや上部側に放出され、最終的にユニット枠３０１の底面中央に形成される球排出口３２２からパチンコ遊技機１の外部（例えば、パチンコ島台のカウンターに載置される玉箱等）に玉抜きされるようになっている（図３４参照）。
【０１０９】
次に、皿ユニット３００のユニット枠３０１の裏面を閉塞する皿蓋体４３０の構成について図３７及び図３８を参照して説明する。皿蓋体４３０は、ユニット枠３０１の裏面のほぼ全域を閉塞するように長方形状の平板として合成樹脂によって成形され、その前面側のほぼ中央に球抜通路後樋４３３が一体的に突設形成されている。球抜通路後樋４３３には、上下に球を前方に誘導する湾曲状の上誘導樋４３４と下誘導樋４３５とが形成され、皿蓋体４３０をユニット枠３０１の裏面に取り付けた状態において、図３４に示すように、下部スピーカユニット３３０のスピーカボックス本体３３１に形成される球抜通路前樋３３７と対面して皿内球抜通路を構成しているものである。このとき、球抜通路前樋３３７に形成される誘導樋３３８が球抜き通路後樋４３３の上誘導樋４３４と下誘導樋４３５との間に位置するようになっているので、皿内球抜通路は蛇行状に形成されることとなり、球抜きされた球が勢いを弱めながら球排出口３２２から外部に排出されるようになっている。
【０１１０】
また、皿蓋体４３０には、上記した球抜通路後樋４３３の上部側方に開口蓋取付窓４３２が開設され、また、一端側（軸支側）上部裏面に四角筒状の賞球連絡樋４３１が突設されている。賞球連絡樋４３１は、皿ユニット３００を扉枠本体１００の表面に取り付けたときに、扉枠本体１００の軸支側下部に形成された賞球通過口１０３（図１６参照）を貫通して扉枠本体１００の裏面側にまで貫通するものであり、本体枠３に対して扉枠５を閉じた状態で本体枠３に形成される賞球通路の末端と重合状に対面するものである。また、開口蓋取付窓４３２は、皿体３６０の第２球抜通路部３７４の側壁開口３８２を閉塞する側面開口蓋３８３を着脱自在に取り付けるための開口であり、扉枠本体１００に形成される蓋用開口１０５に対応する位置に設けられるものである。側面開口蓋３８３の取付構造を具体的に説明すると、側面開口蓋３８３の長手方向一端部に係合突片３８５が突設され、長手方向他端部に係合弾性片３８６が形成されているので、係合突片３８５を開口蓋取付窓４３２の一側縁の内側に係合させ、係合弾性片３８６を開口蓋取付窓４３２の他側縁の内側に弾性係合させることにより側面開口蓋３８３を開口蓋取付窓４３２に取り付け、取り外す場合には、まず係合弾性片３８６を弾性変形させて開口蓋取付窓４３２の他側縁との係合を解除して引き出すことにより係合突片３８５と開口蓋取付窓４３２の一側縁との係合を簡単に解除することができる。この側面開口蓋３８３は、第２球抜弁３７５を開放して異物を第２球抜通路部３７４に詰めるイタズラをされた場合等に扉枠５を開放することにより、異物を簡単に取り出すことができるように設けられているものである。さらに、皿蓋体４３０には、図３８に示すように、前記球抜通路後壁４３３の側方に案内穴４３６が形成されている。この案内穴４３６は、図９に示すように、皿ユニット３００を扉枠本体１００の表面に取り付ける際に、その取付位置を正確に行うために扉枠本体１００の板部のほぼ中央に前方に向って突設される前記係合突起１１１が挿入されるものである。
【０１１１】
以上、皿ユニット３００に係る構成について説明してきたが、上記のように構成される皿ユニット３００の組付け構造について図５４乃至図５８を参照して説明する。最初に、図５４（Ａ）に示すように、ユニット枠３０１の裏面中央に形成される軸受支持片３２１に押圧揺動部材４０３の揺動軸４０４を嵌合支持し、その後、ユニット枠３０１の前方から第２球抜ボタン用開口３２０に第２球抜ボタン４０１を挿入して係止爪４０２を押圧揺動部材４０３の下部筒部４０３ａに係止する。その状態で図５４（Ｂ）に示すように、リンク部材取付板４０７を所定の位置に取り付けて押圧揺動部材４０３の押圧当接突片４０６と第１リンク４１４の当接突起４１６とを当接させる。次いで、図５５（Ａ）に示すように下部スピーカユニット３３０をユニット枠３０１の裏面側から所定の位置に取り付け、さらに図５５（Ｂ）に示すように、皿体３６０をユニット枠３０１の裏面側から下部スピーカユニット３３０の上部の所定位置に取り付ける。この際、第２リンク４１９の係合凹部４２２が後方に向って開放した状態となっているため、皿体３６０に設けられる第２球抜ユニット３７１の連結片３７６の末端下部に突設される係合ピン３７８が、皿体３６０をユニット枠３０１の裏面側から所定の位置に取り付けるだけで自然に係合した状態となる。このため、本実施形態においては、ユニット枠３０１に押圧揺動部材４０３、第２球抜ボタン４０１、リンク部材取付板４０７、皿体３６０の順に取り付けるだけで皿ユニット３００の前面下部に設けられる第２球抜ボタン４０１と皿体３６０に設けられる第２球抜弁３７５との連携を自然に行うことができる。
【０１１２】
ユニット枠３０１に皿体３６０を取り付けた後には、図５６（Ａ）に示すように、皿蓋体４３０をユニット枠３０１の裏面から固定することにより、図５６（Ｂ）に示すように、ユニット枠３０１への裏面側からの作業は終了する。次いで、図５７（Ａ），（Ｂ）に示すように、コネクタ３１０ａが設けられる配線を引き出して操作ボタンユニット３２６のコネクタ３２６ａと接続した後、操作ボタンユニット用凹空間部３０６に操作ボタンユニット３２６を上方から挿入しつつ係合突片３２９と係合穴３１２とを係合させ且つ操作ボタンユニット３２６のコネクタ３２６ａとコネクタ３１０ａを配線収納開口３１０ｂに収納し、その後、図３６に示すように、前面カバー部３０３の底面部に形成される締具挿入穴３２５からネジ３５１をドライバー工具３５２によって差し込み当該ネジ３５１をネジ止め部３１１及び固定ネジ穴３２８に螺着することにより操作ボタンユニット３２６を取り外しできないように固定することができる。そして、上記のように組み付けた皿ユニット３００を扉枠本体１００の下部の板部に取り付けることにより、皿ユニット３００を備えた扉枠５が完成する。
【０１１３】
以上、本実施形態に係るパチンコ遊技機１の構成について説明してきたが、最後に図５９乃至図６９を参照して、本実施形態に係るパチンコ遊技機１の特徴的な構成について説明する。
【０１１４】
図６０、図６２、及び図６９は、それぞれ図５９のＡ−Ａ、Ｃ−Ｃ、Ｊ−Ｊで切断した断面図であり、いずれもパチンコ遊技機１の上側辺部の断面図である。そして、これらの断面図に現われる構成において特徴的なのは、扉枠５の上部防犯二重溝３３に、扉枠５の上辺部裏面に取付固定される上側補強板金１６１の両長辺端を後方に向って折曲される折曲突片１６５，１６６がそれぞれ挿入されるようになっている点である。つまり、本実施形態に係るパチンコ遊技機１における扉枠５と本体枠３との上側辺部における防犯構造が二重の防犯構造となってピアノ線等の不正具を挿入する不正行為の防止が図られている点である。また、図６９に示すように、上部の左右のスピーカ１４４ａ，１４４ｂに対応する位置の遊技盤４にスピーカ用切欠部１８が形成されているので、スピーカ１４４ａ，１４４ｂから発せられる音が本体枠３の裏面側の収納壁３１によって形成される空間及びカバー体５８の放熱穴を介してパチンコ遊技機１の裏面にも通るようになっている。また、本実施形態においては、下部の下部スピーカユニット３３０に設けられるスピーカ３４１ａ，３４１ｂによってバスレフ型のスピーカシステムとして優れた低音域の音を明瞭に外部に向けて発生することができるのに対し、上部の左右のスピーカ１４４ａ，１４４ｂによって低音の強調されない通常の中高音域を含む音域の音を発生するものである。なお、本実施形態においては、上部のスピーカ１４４ａ，１４４ｂと下部のスピーカ３４１ａ，３４１ｂとは、同じ型番の同じスピーカ（フルレンジスピーカ）を用いているが、上部のスピーカ１４４ａ，１４４ｂを収納する構造と、下部のスピーカ３４１ａ，３４１ｂを収納する構造（バスレフ型）とを違えることにより、上部のスピーカ１４４ａ，１４４ｂをフルレンジの音域の音を出力するスピーカとして使用し、下部のスピーカ３４１ａ，３４１ｂを特に低音域を強調した音域の音を出力するスピーカとして使用している点も特徴的なものである。
【０１１５】
図６４、及び図６６は、それぞれ図５９のＥ−Ｅ、Ｇ−Ｇで切断した断面図であり、いずれもパチンコ遊技機１の軸支側辺部の断面図である。そして、これらの断面図に現われる構成において特徴的なことは、軸支側辺部の中程の断面図を示す図６４においては、軸支側補強板金１６２の軸支側Ｌ字状折曲突片１６７は、そのＬ字状に曲がった先端部が本体枠３の軸支側の延設された軸支辺部４９の内側に当接するようになっており、扉枠５と本体枠３との当接面からピアノ線等の不正具が挿入された場合に、不正具の先端が軸支側Ｌ字状折曲突片１６７と軸支辺部４９の内側の当接部分を容易にすり抜けないようにしているが、軸支側の補強板金１６２による防犯構造が他の辺と異なり二重構造にし難く又は最も不正行為を行い難い辺であることに鑑み、全体として手薄な防犯構造となっている。反面その構造に着目して不正行為をなされる可能性もある。そこで、本実施形態においては、軸支側の中間位置に防犯用突出板部１９９を突設させて遊技板飾り枠１１の前面を覆うことにより、軸支側Ｌ字状折曲突片１６７と軸支辺部４９との隙間を無理やり侵入してきた不正具を遊技板飾り枠１１から遊技盤４の表面に到達させないように遊技板飾り枠１１の前面を覆うようにし、軸支側の防犯機能の向上を図っている。また、軸支側の中央より下方の断面図を示す図６６においては、上記と同様に、軸支側補強板金１６２の軸支側Ｌ字状折曲突片１６７は、そのＬ字状に曲がった先端部が本体枠３の軸支側の延設された軸支辺部４９の内側に当接するようになっており、扉枠５と本体枠３との当接面からピアノ線等の不正具が挿入された場合に、不正具の先端が軸支側Ｌ字状折曲突片１６７と軸支辺部４９の内側の当接部分を容易にすり抜けないようにしているものの、扉枠５の軸支側の斜め下方からの不正具の侵入に対しては、防犯突起１５と防犯後端部突片２１５との重合構造によって遊技板飾り枠１１の外レールユニット２２への不正具の侵入が阻止され、さらに遊技板飾り枠１１の内レールユニット１２と防犯後突片２１４との重合構造によって遊技盤４の遊技領域２０への不正具の侵入を阻止することができる。
【０１１６】
図６５、図６７、及び図６８は、それぞれ図５９のＦ−Ｆ、Ｈ−Ｈ、Ｉ−Ｉで切断した断面図であり、いずれもパチンコ遊技機１の開放側辺部の断面図である。そして、これらの断面図に現われる構成において特徴的なことは、開放側補強板金１６３の開放側外折曲突片１７３が本体枠３の側部防犯溝３４に挿入され、開放側内折曲突片１７４が本体枠３の防犯凹部３５に挿入されることにより、二重の防犯構造を有して不正具の侵入を防止している。しかし、開放側外折曲突片１７３と側部防犯溝３４とは、凹凸係合するものの、開放側内折曲突片１７４と防犯凹部３５とは、完全な凹凸係合とはいえないため、最初の凹凸係合部分を突破されたときに次の不完全な凹凸係合を簡単に突破される可能性もあるところ、本実施形態においては、図６５及び図６７に示すように、開放側内折曲突片１７４が防犯凹部３５内に進入した状態で開放側内折曲突片１７４の先端がガラスユニット１９０よりも遊技盤４に近い位置であって遊技盤４の遊技板飾り枠１１の前端面からやや遊技盤４寄りの位置まで進入される長さに設定されているため、仮に開放側外折曲突片１７３と側部防犯溝３４との凹凸係合部をすり抜けて不正具が侵入したとしても、開放側内折曲突片１７４によって案内される不正具の先端がガラスユニット１９０と遊技盤４の遊技板飾り枠１１との間から遊技盤４の表面に侵入することはない。また、本実施形態においては、図６７及び図６８に示すように、扉枠５の開放側の斜め下方からの不正具の侵入に対しては、開放側補強板金１６３の二重の折曲突片１７３，１７４による防犯構造に加えて、レール防犯溝１４と防犯後突片２１４との凹凸係合によりさらに遊技盤４の遊技領域２０への不正具の侵入を阻止することができる。
【０１１７】
図６１、及び図６３は、それぞれ図５９のＢ−Ｂ、Ｄ−Ｄで切断した断面図であり、いずれもパチンコ遊技機１の下側辺部の断面図である。そして、これらの断面図に現われる構成において特徴的なことは、図６１に示すように、扉枠本体１００の扉枠突片１１２と本体枠３の係合溝４２，４３とが扉枠５と本体枠３との下側辺部における外側の突条及び係合部を構成し、扉枠５の裏面下部に取り付けられる装着台２２０に形成される防犯突片２２５と発射レール３８及び遊技盤４に取り付けられる外レールユニット２２の下方空間である防犯空間４５とが扉枠５と本体枠３との下側辺部における内側の突条及び係合部を構成しており、これら二重の防犯構造により不正具の侵入を防止することができる点である。さらに、図６１及び図６３に示すように、ガラスユニット１９０を扉枠５に装着したときに、ユニット枠１９１の底辺部分の係合溝２００に下側補強板金１６４の垂直折曲突片１８０の上部が進入し、その垂直折曲突片１８０の上端部分とガラス板２０１の下端部分とが前方から見て重複するような位置関係を有するように係合溝２００の深さを形成しているので、例えば、皿ユニット３００の上端部に熱した棒状金属を押し当てて合成樹脂製のユニット枠３０１、扉枠本体１００、及びユニット枠１９１に穴をあけるという不正行為に対し、ユニット枠１９１部分において、熱に強いガラス板２０１と垂直折曲突片１８０とが重複しているので、穴をあけることができず、扉枠５の前面からの穴あけ不正行為を防止することができるものである。
【図面の簡単な説明】
【０１１８】
【図１】実施形態に係るパチンコ遊技機の外枠に対して本体枠を閉塞し、本体枠に対して扉枠を開放した状態を示す斜視図である。
【図２】パチンコ遊技機の正面から見た斜視図である。
【図３】パチンコ遊技機の正面図である。
【図４】パチンコ遊技機の背面図である。
【図５】パチンコ遊技機の平面図である。
【図６】本体枠の正面図である。
【図７】扉枠の正面図である。
【図８】扉枠の背面図である。
【図９】図７に表示されるＡ−Ａ断面図である。
【図１０】図７に表示されるＢ−Ｂ断面図である。
【図１１】図７に表示されるＣ−Ｃ断面図である。
【図１２】図７に表示されるＤ−Ｄ断面図である。
【図１３】図８に表示されるＥ−Ｅ断面図である。
【図１４】図８に表示されるＦ−Ｆ断面図である。
【図１５】図１４と同じ断面図の部位における従来の補強板金の開放側外折曲突片の形状を示す断面図である。
【図１６】扉枠の正面から見た分解斜視図である。
【図１７】扉枠の背面から見た分解斜視図である。
【図１８】扉枠の前面側に取り付けられる扉レンズユニットの正面から見た分解斜視図である。
【図１９】扉レンズユニットに設けられるレンズベース体と冷陰極管との関係を示す平面図である。
【図２０】冷陰極管の支持構造を説明するための拡大平面図である。
【図２１】レンズベース体と冷陰極管との関係を示す斜視図である。
【図２２】扉レンズユニットのレンズカバーと皿ユニットに設けられるレンズカバーとの関係を示すパチンコ遊技機の正面斜視図である。
【図２３】扉枠の防犯カバーを取り外した状態の背面図である。
【図２４】扉枠に着脱自在に取り付けられるガラスユニットの正面図（Ａ）・背面図（Ｂ）である。
【図２５】ガラスユニットの分解斜視図である。
【図２６】扉枠に取り付けられる防犯カバーの正面から見た斜視図（Ａ）と背面から見た斜視図（Ｂ）である。
【図２７】扉枠の一側上部に設けられるスピーカを覆うスピーカカバー部分の拡大正面図である。
【図２８】スピーカの斜視図である。
【図２９】扉枠の一側上部に設けられるスピーカ部分の背面から見た従来例（Ａ）と本実施形態例（Ｂ）の拡大斜視図である。
【図３０】スピーカカバー及び装飾部材を構成する部材のうち、ＬＥＤに照射される部材を取り除いた場合の扉枠の正面図である。
【図３１】一方のスピーカカバー及び装飾部材の前面から見た斜視図である。
【図３２】一方のスピーカカバー及び装飾部材の背面から見た斜視図である。
【図３３】扉枠の前面に設けられる皿ユニットの正面図である。
【図３４】図３３に表示されるＡ−Ａ断面図である。
【図３５】図３３に表示されるＢ−Ｂ断面図である。
【図３６】図３３に表示されるＣ−Ｃ断面図である。
【図３７】皿ユニットの正面から見た分解斜視図である。
【図３８】皿ユニットの背面から見た分解斜視図である。
【図３９】皿ユニットの内部に設けられる下部スピーカユニットの正面図（Ａ）・平面図（Ｂ）・背面図（Ｃ）である。
【図４０】下部スピーカユニットの右側面図（Ａ）・正面から見た斜視図（Ｂ）・背面から見た斜視図（Ｃ）である。
【図４１】下部スピーカユニットの正面から見た分解斜視図である。
【図４２】下部スピーカユニットの背面から見た分解斜視図である。
【図４３】下部スピーカボックスの正面図（Ａ）とその正面図中に表示されるＢ−Ｂ断面図（Ｂ）である。
【図４４】下部スピーカボックスとその上部に位置する皿体との関係を示す背面から見た斜視図である。
【図４５】皿体の背面図である。
【図４６】下部スピーカボックスと皿体とを組み付けた状態での背面から見た斜視図である。
【図４７】下部スピーカボックスと皿体とを組み付けた状態での背面図である。
【図４８】皿体に設けられる第２球抜弁と第２球抜ボタンとの関係を示す正面から見た斜視図である。
【図４９】皿体に設けられる第２球抜弁と第２球抜ボタンとの関係を示す平面図である。
【図５０】皿体に設けられる第２球抜弁と第２球抜ボタンとの関係を示す背面から見た斜視図である。
【図５１】第２球抜弁と第２球抜ボタンとを連結するためのリンク機構を示す背面図である。
【図５２】第２球抜弁と第２球抜ボタンの作用を説明するための平面図である。
【図５３】皿ユニットに設けられる操作ボタンユニットの斜視図である。
【図５４】皿ユニットを組み立てる工程を説明するための背面から見た斜視図である。
【図５５】同じく、皿ユニットを組み立てる工程を説明するための背面から見た斜視図である。
【図５６】同じく、皿ユニットを組み立てる工程を説明するための背面から見た斜視図である。
【図５７】皿ユニットへの操作ボタンユニットの組み付けを説明するための斜視図（Ａ）・正面図（Ｂ）である。
【図５８】皿ユニットへの操作ボタンユニットの組み付けを説明するための断面図である。
【図５９】パチンコ遊技機の正面図である。
【図６０】図５９に表示されるＡ−Ａ断面図である。
【図６１】図５９に表示されるＢ−Ｂ断面図である。
【図６２】図５９に表示されるＣ−Ｃ断面図である。
【図６３】図５９に表示されるＤ−Ｄ断面図である。
【図６４】図５９に表示されるＥ−Ｅ断面図である。
【図６５】図５９に表示されるＦ−Ｆ断面図である。
【図６６】図５９に表示されるＧ−Ｇ断面図である。
【図６７】図５９に表示されるＨ−Ｈ断面図である。
【図６８】図５９に表示されるＩ−Ｉ断面図である。
【図６９】図５９に表示されるＪ−Ｊ断面図である。
【符号の説明】
【０１１９】
１  パチンコ遊技機
２  外枠
３  本体枠
４  遊技盤
５  扉枠
２０  遊技領域
３８  発射レール
１０１  遊技窓
１９０  ガラスユニット
３００  皿ユニット
３０１  ユニット枠
３３０  下部スピーカユニット（スピーカユニット）
３３１  スピーカボックス本体
３３２ａ，３３２ｂ  エンクロージャ空間
３３３ａ，３３３ｂ  スピーカ開口
３３４ａ，３３４ｂ  スピーカダクト
３３７  球抜通路前樋（球抜通路）
３４１ａ，３４１ｂ  スピーカ
３４４ａ，３４４ｂ  スピーカ蓋板
３４５  皿体逃げ凹部
３４６  調整凹部
３４７ａ，３４７ｂ  スピーカダクト
３６０  皿体
３７４  第２球抜通路部（球通路）
【図１】
2008110170.tif 000003
【図２】
2008110170.tif 000004
【図３】
2008110170.tif 000005
【図４】
2008110170.tif 000006
【図５】
2008110170.tif 000007
【図６】
2008110170.tif 000008
【図７】
2008110170.tif 000009
【図８】
2008110170.tif 000010
【図９】
2008110170.tif 000011
【図１０】
2008110170.tif 000012
【図１１】
2008110170.tif 000013
【図１２】
2008110170.tif 000014
【図１３】
2008110170.tif 000015
【図１４】
2008110170.tif 000016
【図１５】
2008110170.tif 000017
【図１６】
2008110170.tif 000018
【図１７】
2008110170.tif 000019
【図１８】
2008110170.tif 000020
【図１９】
2008110170.tif 000021
【図２０】
2008110170.tif 000022
【図２１】
2008110170.tif 000023
【図２２】
2008110170.tif 000024
【図２３】
2008110170.tif 000025
【図２４】
2008110170.tif 000026
【図２５】
2008110170.tif 000027
【図２６】
2008110170.tif 000028
【図２７】
2008110170.tif 000029
【図２８】
2008110170.tif 000030
【図２９】
2008110170.tif 000031
【図３０】
2008110170.tif 000032
【図３１】
2008110170.tif 000033
【図３２】
2008110170.tif 000034
【図３３】
2008110170.tif 000035
【図３４】
2008110170.tif 000036
【図３５】
2008110170.tif 000037
【図３６】
2008110170.tif 000038
【図３７】
2008110170.tif 000039
【図３８】
2008110170.tif 000040
【図３９】
2008110170.tif 000041
【図４０】
2008110170.tif 000042
【図４１】
2008110170.tif 000043
【図４２】
2008110170.tif 000044
【図４３】
2008110170.tif 000045
【図４４】
2008110170.tif 000046
【図４５】
2008110170.tif 000047
【図４６】
2008110170.tif 000048
【図４７】
2008110170.tif 000049
【図４８】
2008110170.tif 000050
【図４９】
2008110170.tif 000051
【図５０】
2008110170.tif 000052
【図５１】
2008110170.tif 000053
【図５２】
2008110170.tif 000054
【図５３】
2008110170.tif 000055
【図５４】
2008110170.tif 000056
【図５５】
2008110170.tif 000057
【図５６】
2008110170.tif 000058
【図５７】
2008110170.tif 000059
【図５８】
2008110170.tif 000060
【図５９】
2008110170.tif 000061
【図６０】
2008110170.tif 000062
【図６１】
2008110170.tif 000063
【図６２】
2008110170.tif 000064
【図６３】
2008110170.tif 000065
【図６４】
2008110170.tif 000066
【図６５】
2008110170.tif 000067
【図６６】
2008110170.tif 000068
【図６７】
2008110170.tif 000069
【図６８】
2008110170.tif 000070
【図６９】
2008110170.tif 000071